(57)【特許請求の範囲】
【請求項１】
ワイヤレス通信の方法であって、
アンテナポートの第１のセットを使用して、基地局から第１の基準信号を送信することと、
前記基地局においてユーザ機器（ＵＥ）から第１のフィードバック情報を受信することと、ここにおいて、前記第１のフィードバック情報は、前記第１の基準信号に関連付けられる、
前記第１のフィードバック情報に基づいて第１のプリコーダを構成することと、
前記第１のプリコーダの前記構成に基づいて第２の基準信号を前記ＵＥに送信することと、
前記基地局において前記ＵＥから第２のフィードバック情報を受信することと、ここにおいて、前記第２のフィードバック情報は、前記第２の基準信号に関連付けられる、
前記第２のフィードバック情報に基づいて第２のプリコーダを構成することと
を備える、ワイヤレス通信の方法。
【請求項２】
前記第１のフィードバック情報が、前記第１の基準信号に関連付けられたプリコーディング行列インジケータ（ＰＭＩ）、前記第１の基準信号に関連付けられたランク指示（ＲＩ）、または両方を含む、請求項１に記載のワイヤレス通信の方法。
【請求項３】
前記方法が、
符号化データストリームを生成するために、前記第１のプリコーダと前記第２のプリコーダとを使用してデータストリームを処理することと、ここにおいて、前記第２のプリコーダは、前記データストリームを複数のアンテナポートのうちのアンテナポートのセットにマッピングし、前記第１のプリコーダは、前記アンテナポートのセットを複数のアンテナ要素のうちのアンテナ要素のセットにマッピングする、
前記符号化データストリームを前記ＵＥに送信することと
を含む、請求項１に記載のワイヤレス通信の方法。
【請求項４】
前記方法が、
前記第１のフィードバック情報に基づいて前記ＵＥを分類することと、
前記ＵＥの前記分類に基づいてリソースを前記ＵＥに割り振ることと、
前記基地局から前記ＵＥに制御情報を送信することと、ここにおいて、前記制御情報は、前記分類に基づいて前記ＵＥに割り振られる前記リソースを識別する、
を含む、請求項１に記載のワイヤレス通信の方法。
【請求項５】
前記ＵＥに割り振られる前記リソースが、前記基地局の複数のリソースのうちのリソースの第１のセットに対応し、前記方法が、前記基地局の前記複数のリソースのうちのリソースの別のセットから前記第２の基準信号を周期的に送信することを含み、ここにおいて、前記リソースの別のセットは、ホッピングパターンに基づいて決定され、前記リソースの第１のセットは、前記リソースの別のセットとは異なる、請求項４に記載のワイヤレス通信の方法。
【請求項６】
前記方法が、前記ホッピングパターンを示す情報を前記ＵＥに送信することを含み、ここにおいて、前記ＵＥは、特定の送信時間間隔（ＴＴＩ）の間に前記第２の基準信号についてリソースの追加のセットを監視する、請求項５に記載のワイヤレス通信の方法。
【請求項７】
前記基地局および前記ＵＥが、前記第１のフィードバック情報に基づいて、前記ホッピングパターンにおけるリソースのセットの次のセットを独立して決定する、請求項５に記載のワイヤレス通信の方法。
【請求項８】
前記方法が、
前記第１のフィードバック情報に基づいてオフセット値を決定することと、
前記オフセット値に少なくとも部分的に基づいてスクランブリングシーケンスを初期化することと、
前記初期化されたスクランブリングシーケンスに基づいて、前記リソースの第１のセットを使用して送信される前記第２の基準信号を符号化することと
を含む、請求項５に記載のワイヤレス通信の方法。
【請求項９】
前記方法が、第２のＴＴＩの間に前記第２の基準信号を送信するために使用される前記リソースの別のセットに基づいて、前記オフセット値を動的に修正することを含む、請求項８に記載のワイヤレス通信の方法。
【請求項１０】
前記方法が、
前記基地局において追加のＵＥから第１の追加のフィードバック情報を受信することと、ここにおいて、前記第１の追加のフィードバック情報は、前記第１の基準信号に関連付けられ、前記第１のプリコーダは、前記第１の追加のフィードバック情報に少なくとも部分的に基づいて構成される、
前記基地局において前記追加のＵＥから第２の追加のフィードバック情報を受信することと、ここにおいて、前記第２の追加のフィードバック情報は、前記第２の基準信号に関連付けられ、前記第２のプリコーダは、前記第２の追加のフィードバック情報に少なくとも部分的に基づいて構成される、
追加の符号化データストリームを生成するために、前記第１のプリコーダと前記第２のプリコーダとを使用して追加のデータストリームを処理することと、ここにおいて、前記第２のプリコーダは、前記追加のデータストリームの各々を複数のアンテナポートのうちのアンテナポートの特定のセットにマッピングし、前記第１のプリコーダは、プリコーディングマップに基づいて、前記アンテナポートの特定のセットの各々を複数のアンテナ要素のうちのアンテナ要素の特定のセットにマッピングする、
前記追加の符号化データストリームを前記追加のＵＥに送信することと
を含む、請求項１に記載のワイヤレス通信の方法。
【請求項１１】
前記基地局が複数のアンテナを含み、ここにおいて、前記複数のアンテナのうちの各アンテナは、１つまたは複数のアンテナポートに関連付けられる、請求項１に記載のワイヤレス通信の方法。
【請求項１２】
前記第１の基準信号が、単一の送信時間間隔（ＴＴＩ）の間に前記アンテナポートの各々から送信され、前記第１の基準信号が、周波数分割多重化（ＦＤＭ）を使用して送信される、請求項１１に記載のワイヤレス通信の方法。
【請求項１３】
前記第１の基準信号が、第１の送信時間間隔（ＴＴＩ）の間に前記複数のアンテナポートのうちのアンテナポートの第１のセットを使用して送信される、請求項１１に記載のワイヤレス通信の方法。
【請求項１４】
前記第１の基準信号が、ＴＴＩバンドリングを使用する第２のＴＴＩの間に前記複数のアンテナポートのうちのアンテナポートの第２のセットを使用して送信され、前記アンテナポートの第２のセットが、前記アンテナポートの第１のセットとは異なり、前記第２のＴＴＩが、前記第１のＴＴＩに続き、前記第１のフィードバック情報が、前記アンテナポートの第１のセットを使用した前記第１の基準信号の前記送信と、前記アンテナポートの第２のセットを使用した前記第１の基準信号の前記送信とに関連付けられる、請求項１３に記載のワイヤレス通信の方法。
【請求項１５】
前記第１の基準信号が、第２のＴＴＩの間に前記複数のアンテナポートのうちのアンテナポートの第２のセットから送信され、前記アンテナポートの第２のセットが、前記アンテナポートの第１のセットとは異なる、請求項１３に記載のワイヤレス通信の方法。
【請求項１６】
ワイヤレス通信の方法であって、
ユーザ機器（ＵＥ）において、基地局のアンテナ要素の第１のセットから第１の基準信号を受信することと、
前記第１の基準信号に関連付けられた第１のフィードバック情報を生成することと、
前記第１のフィードバック情報を前記基地局に送信することと、
前記第１のフィードバック情報に基づいて、第２の基準信号を送信するために前記基地局によって使用されるべき、前記基地局によって前記ＵＥに割り振られるリソースのセットを、前記ＵＥにおいて決定することと、
前記ＵＥにおいて、前記第１のフィードバック情報に基づいて前記基地局において構成された第１のプリコーダの構成に基づく、前記第２の基準信号を受信することと、ここにおいて、前記第２の基準信号は、前記割り振られるリソースのセットを使用して前記基地局から前記ＵＥに送信される、
第２のプリコーダを構成するために前記基地局によって使用されるべき、前記第２の基準信号に関連付けられた第２のフィードバック情報を生成することと、
前記第２のフィードバック情報を前記基地局に送信することと
を備える、ワイヤレス通信の方法。
【請求項１７】
前記ＵＥが、ホッピングパターンに従って前記第１のフィードバック情報に基づいて前記リソースのセットを決定する、請求項１６に記載のワイヤレス通信の方法。
【請求項１８】
前記第１のフィードバック情報が、プリコーディング行列インジケータ（ＰＭＩ）、ランク指示、または両方を示し、前記ホッピングパターンが、特定の送信時間間隔（ＴＴＩ）の間に前記ＰＭＩに対応するリソースの特定のセットを識別し、前記ＵＥが、前記第１のフィードバック情報中に含まれる前記ＰＭＩと前記ホッピングパターンとに少なくとも部分的に基づいて前記リソースのセットを決定する、請求項１７に記載のワイヤレス通信の方法。
【請求項１９】
前記特定のＴＴＩが、前記基地局から前記ＵＥへの前記第２の基準信号の送信に関連付けられる、請求項１８に記載のワイヤレス通信の方法。
【請求項２０】
前記方法が、前記ＵＥにおいて前記基地局から制御情報を受信することを含み、ここにおいて、前記制御情報は、前記割り振られるリソースのセットを識別し、前記基地局は、前記第１のフィードバック情報に基づいて前記リソースのセットを前記ＵＥに割り振る、請求項１６に記載のワイヤレス通信の方法。
【請求項２１】
前記制御情報が複数のフィールドを含み、前記複数のフィールドのうちの各フィールドが特定のＵＥに対応し、リソースインデックスを識別する情報を含み、前記方法が、前記ＵＥにおいて、前記複数のフィールドのうちの特定のフィールドに対応する特定のリソースインデックスを監視することを含み、ここにおいて、前記特定のリソースインデックスは、前記割り振られるリソースのセットを識別し、前記特定のフィールドは、前記ＵＥに対応し、前記制御情報は、前記基地局から受信された制御信号を介して受信され、前記制御信号は、物理ダウンリンク制御チャネル（ＰＤＣＣＨ）信号に対応する、請求項２０に記載のワイヤレス通信の方法。
【請求項２２】
ワイヤレス通信の方法であって、
基地局の複数のアンテナを使用して第１の基準信号をＵＥに送信することと、ここにおいて、前記複数のアンテナのうちの各アンテナは、１つまたは複数のアンテナ要素に関連付けられ、各アンテナ要素は、１つまたは複数のアンテナポートに関連付けられる、
前記ＵＥから第１のフィードバック情報を受信することと、ここにおいて、前記第１のフィードバック情報は、前記第１の基準信号に関連付けられる、
前記第１のフィードバック情報に基づいてオフセット値を決定することと、
オフセット値に基づいてスクランブリングシーケンスを初期化することと、
第２の基準信号を前記ＵＥに送信することと、ここにおいて、前記第２の基準信号は、前記初期化されたスクランブリングシーケンスに基づいて符号化される、
前記第１のフィードバック情報に基づいて第１のプリコーダを構成することと、ここにおいて、前記第１のプリコーダは、アンテナポートのセットを前記基地局のアンテナ要素の対応するセットにマッピングする、
前記基地局において前記ＵＥから第２のフィードバック情報を受信することと、ここにおいて、前記第２のフィードバック情報は、前記第２の基準信号に関連付けられる、
前記第２のフィードバック情報に基づいて第２のプリコーダを構成することと、
を備える、ワイヤレス通信の方法。
【請求項２３】
前記方法が、
前記第１のプリコーダと前記第２のプリコーダとを使用して前記基地局から前記ＵＥにデータストリームを送信することと、ここにおいて、前記第２のプリコーダは、前記データストリームを複数のアンテナポートのうちのアンテナポートのセットにマッピングし、前記第１のプリコーダは、前記アンテナポートのセットを複数のアンテナ要素のうちのアンテナ要素のセットにマッピングする、
を含む、請求項２２に記載のワイヤレス通信の方法。
【請求項２４】
前記第１のフィードバック情報が、前記第１の基準信号に関連付けられたプリコーディング行列インジケータ（ＰＭＩ）、前記第１の基準信号に関連付けられたランク指示（ＲＩ）、または両方を含み、第２のフィードバック情報が、前記第２の基準信号に関連付けられた第２のプリコーディング行列インジケータ（ＰＭＩ）、前記第２の基準信号に関連付けられた第２のランク指示（ＲＩ）、または両方を含む、請求項２２に記載のワイヤレス通信の方法。
【請求項２５】
前記方法が、ホッピングパターンに従って前記第２の基準信号を送信することを含み、ここにおいて、前記ホッピングパターンは、前記第２の基準信号が第１の送信時間間隔（ＴＴＩ）の間にリソースの第１のセットを使用して送信されるべきであることを示し、前記ホッピングパターンは、前記第２の基準信号が第２のＴＴＩの間にリソースの第２のセットを使用して送信されるべきであることを示す、請求項２２に記載のワイヤレス通信の方法。
【請求項２６】
前記方法が、
前記ＵＥからの追加のフィードバック情報に基づいて第２のオフセット値を決定することと、ここにおいて、前記ＵＥは、前記基地局から追加の第１の段のＣＳＩ−ＲＳを受信したことに応答して、前記追加のフィードバック情報を生成し、前記追加の第１の段のＣＳＩ−ＲＳは、前記第１の基準信号の送信に続いて送信される、
前記第２のオフセット値に基づいて第２のスクランブリングシーケンスを初期化することと、
第３のＴＴＩの間にリソースの次のセットを使用して追加の第２の段のＣＳＩ−ＲＳを第１のＵＥグループに送信することと、ここにおいて、前記第３のＴＴＩは、第２のＴＴＩに続き、前記追加の第２の段のＣＳＩ−ＲＳは、前記第２のスクランブリングシーケンスに基づいて符号化される、
を含む、請求項２２に記載のワイヤレス通信の方法。
【請求項２７】
プロセッサによって実行されると、請求項１乃至１５、請求項１６乃至２１、または２２乃至２６のうちのいずれか１項の方法に対応する動作を前記プロセッサに実行させる命令を記憶するコンピュータ可読記憶デバイス。
【発明の詳細な説明】
【技術分野】
【０００１】
[0001]本開示の態様は、一般にワイヤレス通信システムに関し、より詳細には、アンテナアレイからの信号の送信のためのプリコーダを構成することに関する。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのようなネットワークは、通常、多元接続ネットワークであり、利用可能なネットワークリソースを共有することによって複数のユーザのための通信をサポートする。そのようなネットワークの一例は、ユニバーサル地上無線アクセスネットワーク（ＵＴＲＡＮ）である。ＵＴＲＡＮは、第３世代パートナーシッププロジェクト（３ＧＰＰ（登録商標））によってサポートされる第３世代（３Ｇ）モバイルフォン技術、ユニバーサル・モバイル通信システム（ＵＭＴＳ）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００３】
[0003]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００４】
[0004]基地局は、ＵＥにダウンリンク上でデータと制御情報とを送信し得、および／またはＵＥからアップリンク上でデータと制御情報とを受信し得る。ダウンリンク上では、基地局からの送信は、ネイバー基地局（neighbor base stations）からの送信、または他のワイヤレス無線周波数（ＲＦ）送信機からの送信、による干渉に遭遇することがある。アップリンク上では、ＵＥからの送信は、ネイバー基地局と通信する他のＵＥのアップリンク送信からの干渉、または他のワイヤレスＲＦ送信機からの干渉、に遭遇することがある。この干渉は、ダウンリンクとアップリンクの両方で性能を劣化させる可能性がある。
【０００５】
[0005]モバイルブロードバンドアクセスに対する需要が増加し続けるにつれて、より多くのＵＥが長距離ワイヤレス通信ネットワークにアクセスし、より多くの短距離ワイヤレスシステムがコミュニティにおいて展開されるのに伴い、干渉および輻輳ネットワークの可能性が増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００６】
[0006]本明細書では、ワイヤレス通信をサポートするように動作可能な方法、装置、およびコンピュータ可読記憶デバイスの態様が開示される。一態様では、ワイヤレス通信の方法は、アンテナポートの第１のセットを使用して基地局から第１の基準信号を送信することと、基地局においてユーザ機器（ＵＥ）から第１のフィードバック情報を受信することとを含む。第１のフィードバック情報は、第１の基準信号に関連付けられ得る。方法は、第１のフィードバック情報に基づいて第１のプリコーダを構成することと、第１のプリコーダの構成に基づいて第２の基準信号をＵＥに送信することとを含む。方法は、基地局においてＵＥから第２のフィードバック情報を受信することを含む。第２のフィードバック情報は、第２の基準信号に関連付けられ得る。方法は、第２のフィードバック情報に基づいて第２のプリコーダを構成することを含む。
【０００７】
[0007]別の態様では、ワイヤレス通信の方法は、ユーザ機器（ＵＥ）において、基地局のアンテナ要素の第１のセットから第１の基準信号を受信することと、第１の基準信号に関連付けられた第１のフィードバック情報を生成することとを含む。方法は、第１のフィードバック情報を基地局に送信することを含む。方法は、ＵＥにおいて、第１のフィードバック情報に基づいてＵＥに割り振られるリソースのセットを決定することと、ＵＥにおいて第２の基準信号を受信することとを含む。第２の基準信号は、リソースの割り振られたセットを使用して、基地局からＵＥに送信され得る。方法は、第２の基準信号に関連付けられた第２のフィードバック情報を生成することと、第２のフィードバック情報を基地局に送信することとを含む。
【０００８】
[0008]また別の態様では、ワイヤレス通信の方法は、基地局の複数のアンテナを使用して第１の基準信号をＵＥに送信することを含む。複数のアンテナのうちの各アンテナは、１つまたは複数のアンテナ要素に関連付けられ得、各アンテナ要素は、１つまたは複数のアンテナポートに関連付けられ得る。方法は、ＵＥから第１のフィードバック情報を受信することを含む。第１のフィードバック情報は、第１の基準信号に関連付けられ得る。方法は、第１のフィードバック情報に基づいてオフセット値を決定することと、オフセット値に基づいてスクランブリングシーケンスを初期化することとを含む。方法は、第２の基準信号をＵＥに送信することを含む。第２の基準信号は、初期化されたスクランブリングシーケンスに基づいて符号化され得る。
【０００９】
[0009]一態様では、コンピュータ可読記憶デバイスは、プロセッサによって実行されると、アンテナポートの第１のセットを使用して第１の基準信号を送信することと、ユーザ機器（ＵＥ）から第１のフィードバック情報を受信することとを含む動作をプロセッサに実行させる命令を記憶する。第１のフィードバック情報は、第１の基準信号に関連付けられ得る。動作は、第１のフィードバック情報に基づいて第１のプリコーダを構成することと、第１のプリコーダの構成に基づいて第２の基準信号をＵＥに送信することとを含む。動作は、基地局においてＵＥから第２のフィードバック情報を受信することを含む。第２のフィードバック情報は、第２の基準信号に関連付けられ得る。動作は、第２のフィードバック情報に基づいて第２のプリコーダを構成することを含む。
【００１０】
[0010]別の態様では、コンピュータ可読記憶デバイスは、プロセッサによって実行されると、基地局のアンテナ要素の第１のセットから第１の基準信号を受信することと、第１の基準信号に関連付けられた第１のフィードバック情報を生成することとを含む動作をプロセッサに実行させる命令を記憶する。動作は、第１のフィードバック情報を基地局に送信することを含む。動作は、第１のフィードバック情報に基づいてＵＥに割り振られるリソースのセットを決定することと、第２の基準信号を受信することとを含む。第２の基準信号は、リソースの割り振られたセットを使用して、基地局からＵＥに送信され得る。動作は、第２の基準信号に関連付けられた第２のフィードバック情報を生成することと、第２のフィードバック情報を基地局に与えることとを含む。
【００１１】
[0011]また別の態様では、コンピュータ可読記憶デバイスは、プロセッサによって実行されると、基地局の複数のアンテナを使用して第１の基準信号をＵＥに送信することを含む動作をプロセッサに実行させる命令を記憶する。複数のアンテナのうちの各アンテナは、１つまたは複数のアンテナ要素に関連付けられ得、各アンテナ要素は、１つまたは複数のアンテナポートに関連付けられ得る。動作は、ＵＥから第１のフィードバック情報を受信することを含む。第１のフィードバック情報は、第１の基準信号に関連付けられる。動作は、第１のフィードバック情報に基づいてオフセット値を決定することを含む。動作は、オフセット値に基づいてスクランブリングシーケンスを初期化することと、第２の基準信号をＵＥに送信することとを含む。第２の基準信号は、初期化されたスクランブリングシーケンスに基づいて符号化され得る。
【００１２】
[0012]一態様では、ワイヤレス通信のための装置は、プロセッサと、プロセッサに結合されたメモリとを含む。メモリは、プロセッサによって実行されると、アンテナポートの第１のセットを使用して基地局から第１の基準信号を送信することと、基地局においてユーザ機器（ＵＥ）から第１のフィードバック情報を受信することとを含む動作をプロセッサに実行させる命令を記憶する。第１のフィードバック情報は、第１の基準信号に関連付けられ得る。動作は、第１のフィードバック情報に基づいて第１のプリコーダを構成することと、第１のプリコーダの構成に基づいて第２の基準信号をＵＥに送信することとを含む。動作は、ＵＥから第２のフィードバック情報を受信することを含む。第２のフィードバック情報は、第２の基準信号に関連付けられ得る。動作は、第２のフィードバック情報に基づいて第２のプリコーダを構成することを含む。
【００１３】
[0013]別の態様では、ワイヤレス通信のための装置は、プロセッサと、プロセッサに結合されたメモリとを含む。メモリは、プロセッサによって実行されると、基地局のアンテナ要素の第１のセットから第１の基準信号を受信することと、第１の基準信号に関連付けられた第１のフィードバック情報を生成することとを含む動作をプロセッサに実行させる命令を記憶する。動作は、第１のフィードバック情報を基地局に送信することを含む。動作は、第１のフィードバック情報に基づいてＵＥに割り振られるリソースのセットを決定することと、第２の基準信号を受信することとを含む。第２の基準信号は、リソースの割り振られたセットを使用して、基地局から送信され得る。動作は、第２の基準信号に関連付けられた第２のフィードバック情報を生成することと、第２のフィードバック情報を基地局に与えることとを含む。
【００１４】
[0014]また別の態様では、ワイヤレス通信のための装置は、プロセッサと、プロセッサに結合されたメモリとを含む。メモリは、プロセッサによって実行されると、複数のアンテナを使用して第１の基準信号をＵＥに送信することを含む動作をプロセッサに実行させる命令を記憶し得る。複数のアンテナのうちの各アンテナは、１つまたは複数のアンテナ要素に関連付けられ得、各アンテナ要素は、１つまたは複数のアンテナポートに関連付けられ得る。動作は、ＵＥから第１のフィードバック情報を受信することを含む。第１のフィードバック情報は、第１の基準信号に関連付けられ得る。動作は、第１のフィードバック情報に基づいてオフセット値を決定することと、オフセット値に基づいてスクランブリングシーケンスを初期化することと、第２の基準信号をＵＥに送信することとを含む。第２の基準信号は、初期化されたスクランブリングシーケンスに基づいて符号化され得る。
【００１５】
[0015]一態様では、ワイヤレス通信のための装置は、アンテナポートの第１のセットを使用して第１の基準信号を送信するための手段と、ユーザ機器（ＵＥ）から第１のフィードバック情報を受信するための手段とを含む。第１のフィードバック情報は、第１の基準信号に関連付けられ得る。装置は、第１のフィードバック情報に基づいて第１のプリコーダを構成するための手段と、第１のプリコーダの構成に基づいて第２の基準信号をＵＥに送信するための手段とを含む。装置は、ＵＥから第２のフィードバック情報を受信するための手段を含む。第２のフィードバック情報は、第２の基準信号に関連付けられ得る。装置は、第２のフィードバック情報に基づいて第２のプリコーダを構成するための手段を含む。
【００１６】
[0016]別の態様では、ワイヤレス通信のための装置は、基地局のアンテナ要素の第１のセットから第１の基準信号を受信するための手段と、第１の基準信号に関連付けられた第１のフィードバック情報を生成するための手段とを含む。装置は、第１のフィードバック情報を基地局に送信するための手段を含む。装置は、第１のフィードバック情報に基づいてＵＥに割り振られるリソースのセットを決定するための手段と、ＵＥにおいて第２の基準信号を受信するための手段とを含む。第２の基準信号は、リソースの割り振られたセットを使用して、基地局からＵＥに送信され得る。装置は、第２の基準信号に関連付けられた第２のフィードバック情報を生成するための手段と、第２のフィードバック情報を基地局に与えるための手段とを含む。
【００１７】
[0017]また別の態様では、ワイヤレス通信のための装置は、複数のアンテナを使用して第１の基準信号をＵＥに送信するための手段を含む。複数のアンテナのうちの各アンテナは、１つまたは複数のアンテナ要素に関連付けられ得、各アンテナ要素は、１つまたは複数のアンテナポートに関連付けられ得る。装置は、第１の基準信号に関連付けられた第１のフィードバック情報をＵＥから受信するための手段を含む。装置は、第１のフィードバック情報に基づいてオフセット値を決定するための手段と、オフセット値に基づいてスクランブリングシーケンスを初期化するための手段とを含む。装置は、第２の基準信号をＵＥに送信するための手段を含む。第２の基準信号は、初期化されたスクランブリングシーケンスに基づいて符号化され得る。
【図面の簡単な説明】
【００１８】
【図１】[0018]モバイル通信システムの一例を概念的に示すブロック図。
【図２】[0019]モバイル通信システムにおけるダウンリンクフレーム構造の一例を概念的に示すブロック図。
【図３】[0020]アップリンクＬＴＥ（登録商標）／−Ａ通信における例示的なフレーム構造を概念的に示すブロック図。
【図４】[0021]本開示の一態様による、異機種ネットワークにおける時分割多重（ＴＤＭ）区分を概念的に示すブロック図。
【図５】[0022]本開示の一態様に従って構成された基地局／ｅＮＢおよびＵＥの設計を概念的に示すブロック図。
【図６】[0023]２段（two-stage）チャネル状態情報（ＣＳＩ）−基準信号（ＲＳ）プロセスを使用するワイヤレス通信のためのシステム６００の例示的な態様を示す図。
【図７】[0024]２段プリコーディングプロセスを実行するために２段プリコーダ（a two-stage precoder）を使用することのブロック図。
【図８】[0025]６４個（６４）のアンテナポートに関連する信号の送信で使用するためのリソースブロック構成の例示的な態様を示す図。
【図９】[0026]アンテナポートのセットを使用して第１の基準信号を送信することの例示的な態様を示す図。
【図１０】[0027]第２の基準信号の送信に関連付けられたリソースマッピングを決定するために暗黙的なシグナリングを使用することの例示的な態様を示す図。
【図１１】[0028]第２の基準信号の送信に関連付けられたリソース割振りを示すために明示的なシグナリングを使用することの一態様を示す図。
【図１２】[0029]リソースマッピングホッピングを使用して第２の基準信号を送信することの例示的な態様を示す図。
【図１３】[0030]２段プリコーダを構成する方法の例示的な態様を示す図。
【図１４】[0031]ユーザ機器（ＵＥ）によって生成されたフィードバック情報に基づいてＵＥに割り振られるリソースのセットを決定する方法の例示的な態様を示す図。
【図１５】[0032]ユーザ機器から受信されたフィードバックに基づいて決定されたオフセット値を使用してスクランブリングシーケンスを初期化する方法の例示的な態様を示す図。
【詳細な説明】
【００１９】
[0033]添付の図面に関して以下に記載する詳細な説明は、様々な構成を説明するものであり、本開示の範囲を限定するものではない。むしろ、詳細な説明は、本発明の主題の完全な理解を与えるための具体的な詳細を含む。これらの具体的な詳細は、あらゆる場合において必要とされるとは限らないことと、場合によっては、よく知られている構造および構成要素は提示を明快にするためにブロック図の形態で示されることとが当業者には明らかであろう。
【００２０】
[0034]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上無線アクセス（ＵＴＲＡ：Universal Terrestrial Radio Access）、米国電気通信工業会（ＴＩＡ：Telecommunications Industry Association）のＣＤＭＡ２０００（登録商標）などの無線技術を実装し得る。ＵＴＲＡ技術は、広帯域ＣＤＭＡ（ＷＣＤＭＡ（登録商標））とＣＤＭＡの他の変形態とを含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイル・ブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡ技術およびＥ−ＵＴＲＡ技術は、ユニバーサル・モバイル通信システム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と呼ばれる団体からの文書に記載されている。ＣＤＭＡ
２０００（登録商標）およびＵＭＢは、「第３世代パートナーシッププロジェクト２」（３ＧＰＰ２：3rd Generation Partnership Project 2）と呼ばれる団体からの文書に記載されている。本明細書で説明する技法は、上記のワイヤレスネットワークおよび無線アクセス技術、ならびに他のワイヤレスネットワークおよび無線アクセス技術のために使用され得る。明快のために、本技法のいくつかの態様について、以下ではＬＴＥまたはＬＴＥ−Ａ（代替として一緒に「ＬＴＥ／−Ａ」と呼ばれる）に関して説明し、以下の説明の大部分ではそのようなＬＴＥ／−Ａ用語を使用する。
【００２１】
[0035]図１は、通信のためのワイヤレスネットワーク１００を示し、これはＬＴＥ−Ａネットワークであり得る。ワイヤレスネットワーク１００は、いくつかの発展型ノードＢ（ｅＮＢ）１１０と他のネットワークエンティティとを含む。ｅＮＢは、ＵＥと通信する局であり得、基地局、ノードＢ、アクセスポイントなどと呼ばれることもある。各ｅＮＢ１１０は、特定の地理的エリアに対する通信カバレージを与え得る。３ＧＰＰでは、「セル」という用語は、この用語が使用されるコンテキストに応じて、ｅＮＢのこの特定の地理的カバレージエリアおよび／またはこのカバレージエリアをサービスするｅＮＢサブシステムを指すことがある。
【００２２】
[0036]ｅＮＢは、マクロセル、ピコセル、フェムトセル、および／または他のタイプのセルに対する通信カバレージを与え得る。マクロセルは、概して、比較的大きい地理的エリア（たとえば、半径数キロメートル）をカバーし、ネットワークプロバイダとのサービスに加入しているＵＥによる無制限アクセスを可能にし得る。ピコセルは、概して、比較的小さい地理的エリアをカバーすることになり、ネットワークプロバイダとのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢは、マクロｅＮＢと呼ばれることがある。ピコセルのためのｅＮＢは、ピコｅＮＢと呼ばれることがある。また、フェムトセルのためのｅＮＢは、フェムトｅＮＢまたはホームｅＮＢと呼ばれることがある。図１に示す例では、ｅＮＢ１１０ａ、１１０ｂおよび１１０ｃは、それぞれマクロセル１０２ａ、１０２ｂおよび１０２ｃのためのマクロｅＮＢである。ｅＮＢ１１０ｘは、ピコセル１０２ｘ用のピコｅＮＢである。また、ｅＮＢ１１０ｙおよび１１０ｚは、それぞれフェムトセル１０２ｙおよび１０２ｚのためのフェムトｅＮＢである。ｅＮＢは、１つまたは複数の（たとえば、２つ、３つ、４つなどの）セルをサポートし得る。
【００２３】
[0037]ワイヤレスネットワーク１００はまた中継局を含む。中継局は、上流局（たとえば、ｅＮＢ、ＵＥなど）からデータおよび／または他の情報の送信を受信し、そのデータおよび／または他の情報の送信を下流局（たとえば、別のＵＥ、別のｅＮＢなど）に送る局である。中継局はまた、他のＵＥに対する送信を中継するＵＥであり得る。図１に示す例では、中継局１１０ｒはｅＮＢ１１０ａおよびＵＥ１２０ｒと通信し得、ここで、中継局１１０ｒは、２つのネットワーク要素（ｅＮＢ１１０ａおよびＵＥ１２０ｒ）間の通信を容易にするために、それらの間のリレーとして働く。中継局は、リレーｅＮＢ、リレーなどと呼ばれることもある。
【００２４】
[0038]ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。
【００２５】
[0039]ＵＥ１２０はワイヤレスネットワーク１００全体にわたって分散され、各ＵＥは固定またはモバイルであり得る。ＵＥは、端末、移動局、加入者ユニット、局などと呼ばれることもある。ＵＥは、携帯電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥにサービスするように指定されたｅＮＢであるサービングｅＮＢとの間の所望の送信を示す。両矢印付きの破線は、ＵＥとｅＮＢとの間の干渉する送信を示す。
【００２６】
[0040]ＬＴＥ／−Ａは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、通常トーン、ビンなどとも呼ばれる複数（Ｋ個）の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．４、３、５、１０、１５、または２０メガヘルツ（ＭＨｚ）の対応するシステム帯域幅に対してそれぞれ７２、１８０、３００、６００、９００、および１２００に等しくなり得る。システム帯域幅はまた、サブバンドに区分され得る。たとえば、サブバンドは１．０８ＭＨｚをカバーし得、１．４、３、５、１０、１５、または２０ＭＨｚの対応するシステム帯域幅に対してそれぞれ１つ、２つ、４つ、８つ、または１６個のサブバンドがあり得る。
【００２７】
[0041]図２は、ＬＴＥ／−Ａにおいて使用されるダウンリンクフレーム構造を示す。ダウンリンクのための送信タイムラインは、無線フレームの単位に区分され得る。各無線フレームは、所定の持続時間（たとえば、１０ミリ秒（ｍｓ））を有する場合があり、０〜９のインデックスを有する１０個のサブフレームに区分される場合がある。各サブフレームは、２つのスロットを含み得る。したがって、各無線フレームは、０〜１９のインデックスを有する２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６個のシンボル期間、を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２８】
[0042]ＬＴＥ／−Ａでは、ｅＮＢは、ｅＮＢ中の各セルに対して１次同期信号（ＰＳＳ）と２次同期信号（ＳＳＳ）とを送り得る。１次同期信号および２次同期信号は、図２に示すように、それぞれ、ノーマルサイクリックプレフィックスを有する各無線フレームのサブフレーム０および５の各々中のシンボル期間６および５において送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２９】
[0043]ｅＮＢは、図２に見られるように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を搬送し得、ここで、Ｍは、１、２、または３に等しくなり得、サブフレームごとに変化し得る。Ｍはまた、たとえば、リソースブロックが１０個未満である小さいシステム帯域幅では、４に等しくなり得る。図２に示す例では、Ｍ＝３である。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。図２に示す例でも、ＰＤＣＣＨおよびＰＨＩＣＨは最初の３つのシンボル期間中に含まれている。ＰＨＩＣＨは、ハイブリッド自動再送信（ＨＡＲＱ：hybrid automatic retransmission）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中で物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。
【００３０】
[0044]各サブフレームの制御セクション中で、すなわち、各サブフレームの最初のシンボル期間中でＰＨＩＣＨとＰＤＣＣＨとを送ることに加えて、ＬＴＥ−Ａはまた、各サブフレームのデータ部分中でもこれらの制御指向チャネルを送信し得る。図２に示すように、データ領域を利用するこれらの新しい制御設計、たとえば、拡張物理ダウンリンク制御チャネル（ＥＰＤＣＣＨ：Enhanced-Physical Downlink Control Channel）は、各サブフレームの後のシンボル期間中に含まれる。ＥＰＤＣＣＨは、新しいタイプの制御チャネルである。新しい制御チャネルは、周波数分割多重化（ＦＤＭ：Frequency Division Multiplexing）、時分割多重化（ＴＤＭ：Time Division Multiplexing）、またはＦＤＭとＴＤＭとの組合せの形態であり得る。
【００３１】
[0045]ｅＮＢは、ｅＮＢによって使用されるシステム帯域幅の中心１．０８ＭＨｚにおいてＰＳＳと、ＳＳＳと、ＰＢＣＨとを送り得る。ｅＮＢは、これらのチャネルが送られる各シンボル期間中でシステム帯域幅全体にわたってＰＣＦＩＣＨとＰＨＩＣＨとを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳと、ＳＳＳと、ＰＢＣＨと、ＰＣＦＩＣＨと、ＰＨＩＣＨとを送り得、特定のＵＥにユニキャスト方式でＰＤＣＣＨを送り得、また特定のＵＥにユニキャスト方式でＰＤＳＣＨを送り得る。
【００３２】
[0046]いくつかのリソース要素が各シンボル期間中に利用可能であり得る。各リソース要素は、１つのシンボル期間中に１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element groups）に配置され得る。各ＲＥＧは、１つのシンボル期間中に４つのリソース要素を含み得る。ＰＣＦＩＣＨは、シンボル期間０中に、周波数にわたってほぼ等しく離間され得る、４つのＲＥＧを占有し得る。ＰＨＩＣＨは、１つまたは複数の構成可能なシンボル期間中に、周波数にわたって拡散され得る、３つのＲＥＧを占有し得る。たとえば、ＰＨＩＣＨのための３つのＲＥＧは、すべてシンボル期間０に属することができるか、またはシンボル期間０、１および２に拡散され得る。ＰＤＣＣＨは、最初のＭ個のシンボル期間中に、利用可能なＲＥＧから選択され得る、９、１８、３２または６４個のＲＥＧを占有し得る。ＲＥＧのいくつかの組合せのみが、ＰＤＣＣＨに対して許可され得る。
【００３３】
[0047]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨに対して可能にされる組合せの数よりも少ない。ｅＮＢは、ＵＥが探索することになる組合せのいずれかにおいてＵＥにＰＤＣＣＨを送り得る。
【００３４】
[0048]ＵＥは、複数のｅＮＢのカバレージ内にあり得る。そのＵＥにサービスするために、これらのｅＮＢのうちの１つが選択され得る。サービングｅＮＢは、受信電力、経路損失、信号対雑音比（ＳＮＲ）などの様々な基準に基づいて選択され得る。
【００３５】
[0049]図３は、アップリンク・ロングターム・エボリューション（ＬＴＥ／−Ａ）通信における例示的なフレーム構造３００を示すブロック図である。アップリンクのために利用可能なリソースブロック（ＲＢ：resource block）は、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。図３の設計は、データセクション中の連続するサブキャリアのすべてを単一のＵＥに割り当てることを可能にし得る連続するサブキャリアを含むデータセクションを生じる。
【００３６】
[0050]ＵＥには、ｅＮＢに制御情報を送信するために制御セクション中のリソースブロックが割り当てられ得る。ＵＥには、ノードＢにデータを送信するためにデータセクション中のリソースブロックも割り当てられ得る。ＵＥは、制御セクション中の割り当てられたリソースブロック３１０ａおよび３１０ｂ上の物理アップリンク制御チャネル（ＰＵＣＣＨ：Physical Uplink Control Channel）中で制御情報を送信し得る。ＵＥは、データセクション中の割り当てられたリソースブロック３２０ａおよび３２０ｂ上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図３に示すように周波数にわたってホッピングし得る。
【００３７】
[0051]再び図１を参照すると、ワイヤレスネットワーク１００は、システムの単位面積当たりのスペクトル効率を改善するために、ｅＮＢ１１０の多様なセット（すなわち、マクロｅＮＢ、ピコｅＮＢ、フェムトｅＮＢ、およびリレー）を使用する。ワイヤレスネットワーク１００は、それのスペクトルカバレージのためにそのような異なるｅＮＢを使用するので、それは異機種ネットワークと呼ばれることもある。マクロｅＮＢ１１０ａ〜ｃは、通常、ワイヤレスネットワーク１００のプロバイダによって慎重に計画され、配置される。マクロｅＮＢ１１０ａ〜ｃは、概して、高電力レベル（たとえば、５Ｗ〜４０Ｗ）で送信する。概して、かなり低い電力レベル（たとえば、１００ｍＷ〜２Ｗ）で送信するピコｅＮＢ１１０ｘおよび中継局１１０ｒは、マクロｅＮＢ１１０ａ〜ｃによって与えられたカバレージエリア中のカバレージホールを除去し、ホットスポットにおける容量を改善するために比較的無計画に展開され得る。とはいえ、一般にワイヤレスネットワーク１００とは無関係に展開されるフェムトｅＮＢ１１０ｙ〜ｚは、それらの（１人または複数の）管理者によって許可された場合、ワイヤレスネットワーク１００への潜在的なアクセスポイントとして、または少なくとも、リソース協調および干渉管理の協調を実行するためにワイヤレスネットワーク１００の他のｅＮＢ１１０と通信し得る、アクティブでアウェアな（aware）ｅＮＢとして、のいずれかで、ワイヤレスネットワーク１００のカバレージエリアに組み込まれ得る。フェムトｅＮＢ１１０ｙ〜ｚはまた、一般に、マクロｅＮＢ１１０ａ〜ｃよりもかなり低い電力レベル（たとえば、１００ｍＷ〜２Ｗ）で送信する。
【００３８】
[0052]ワイヤレスネットワーク１００など、異機種ネットワークの動作中、各ＵＥは、通常、より良い信号品質を有するｅＮＢ１１０によってサービスされ、他のｅＮＢ１１０から受信した不要な信号は干渉として扱われる。そのような動作原理は、著しく準最適な性能をもたらすことがあるが、ｅＮＢ１１０の間のインテリジェントリソース協調と、より良いサーバ選択戦略と、効率的な干渉管理のためのより高度の技法とを使用することによって、ワイヤレスネットワーク１００においてネットワーク性能の利得が実現される。
【００３９】
[0053]ピコｅＮＢ１１０ｘなどのピコｅＮＢは、マクロｅＮＢ１１０ａ〜ｃなどのマクロｅＮＢと比較すると大幅に低い送信電力によって特徴付けられる。ピコｅＮＢはまた、通常、ワイヤレスネットワーク１００などのネットワークの周囲にアドホックに配置される。この無計画な展開のせいで、ワイヤレスネットワーク１００などの、ピコｅＮＢ配置を有するワイヤレスネットワークは、カバレージエリアまたはセルのエッジ上のＵＥ（「セルエッジ（cell-edge）」ＵＥ）に対する制御チャネル送信のためのより困難なＲＦ環境に寄与することができる、低い信号対干渉条件を有する（with low signal to interference conditions）大きいエリアを有することが予想され得る。さらに、マクロｅＮＢ１１０ａ〜ｃの送信電力レベルとピコｅＮＢ１１０ｘの送信電力レベルとの間の潜在的に大きい格差（たとえば、約２０ｄＢ）は、混合展開において、ピコｅＮＢ１１０ｘのダウンリンク・カバレージエリアがマクロｅＮＢ１１０ａ〜ｃのそれよりもはるかに小さいことを暗示する。
【００４０】
[0054]しかしながら、アップリンクの場合、アップリンク信号の信号強度は、ＵＥによって支配され、したがって、どのタイプのｅＮＢ１１０によって受信されたときでも同様である。ｅＮＢ１１０のためのアップリンク・カバレージエリアがほぼ同じまたは同様であれば、チャネル利得に基づいてアップリンク・ハンドオフ境界が決定されることになる。これは、ダウンリンク・ハンドオーバ境界とアップリンク・ハンドオーバ境界との間の不一致をもたらし得る。追加のネットワーク適応がなければ、この不一致により、ワイヤレスネットワーク１００におけるサーバ選択またはｅＮＢへのＵＥの関連付けは、ダウンリンク・ハンドオーバ境界とアップリンク・ハンドオーバ境界とがより厳密に一致するマクロｅＮＢ専用同種ネットワークにおけるよりも困難になるであろう。
【００４１】
[0055]サーバ選択が主にダウンリンク受信信号強度に基づく場合、ワイヤレスネットワーク１００などの異機種ネットワークの混合ｅＮＢ展開の有用性は大幅に減少されよう。これは、マクロｅＮＢ１１０ａ〜ｃのより高いダウンリンク受信信号強度が、利用可能なすべてのＵＥを引きつけ、ピコｅＮＢ１１０ｘはそれのはるかに弱いダウンリンク送信電力のためにどのＵＥをもサービスしないことがあるので、マクロｅＮＢ１１０ａ〜ｃなど、より高電力のマクロｅＮＢのより大きいカバレージエリアが、ピコｅＮＢ１１０ｘなどのピコｅＮＢを用いてセルカバレージを分割することの利点を限定するためである。さらに、マクロｅＮＢ１１０ａ〜ｃは、それらのＵＥに効率的にサービスするために十分なリソースを有しない可能性がある。したがって、ワイヤレスネットワーク１００は、ピコｅＮＢ１１０ｘのカバレージエリアを拡張することによってマクロｅＮＢ１１０ａ〜ｃとピコｅＮＢ１１０ｘとの間で負荷をアクティブに平衡化させ（balance）ようと試みる。この概念はセル範囲拡張（ＣＲＥ：cell range extension）と呼ばれる。
【００４２】
[0056]ワイヤレスネットワーク１００は、サーバ選択が決定される方法を変更することによってＣＲＥを達成する。サーバ選択がダウンリンク受信信号強度に基づく代わりに、選択はダウンリンク信号の品質に一層基づく。１つのそのような品質ベースの決定では、サーバ選択は、ＵＥに最小の経路損失を与えるｅＮＢを決定することに基づき得る。加えて、ワイヤレスネットワーク１００は、マクロｅＮＢ１１０ａ〜ｃとピコｅＮＢ１１０ｘとの間にリソースの固定の区分を与える。しかしながら、このアクティブな負荷の平衡化（balancing of load）を伴う場合でも、ピコｅＮＢ１１０ｘなどのピコｅＮＢによってサービスされるＵＥに対するマクロｅＮＢ１１０ａ〜ｃからのダウンリンク干渉は緩和されるべきである。これは、ＵＥにおける干渉消去、ｅＮＢ１１０間のリソース協調などを含む様々な方法によって達成され得る。
【００４３】
[0057]ワイヤレスネットワーク１００など、セル範囲拡張を用いる異機種ネットワークでは、ＵＥが、マクロｅＮＢ１１０ａ〜ｃなどのより高電力のｅＮＢから送信されたより強いダウンリンク信号の存在下でピコｅＮＢ１１０ｘなどのより低電力のｅＮＢからサービスを取得するために、ピコｅＮＢ１１０ｘは、マクロｅＮＢ１１０ａ〜ｃのうちの支配的な干渉するマクロｅＮＢとの制御チャネルおよびデータチャネル干渉協調に関与する。干渉を管理するために、干渉協調のための多くの異なる技法が採用され得る。たとえば、同一チャネル展開（co-channel deployment）中のセルからの干渉を低減するために、セル間干渉協調（ＩＣＩＣ：inter-cell interference coordination）が使用され得る。１つのＩＣＩＣ機構は適応リソース区分である。適応リソース区分は、いくつかのｅＮＢにサブフレームを割り当てる。第１のｅＮＢに割り当てられたサブフレーム中ではネイバーｅＮＢ（neighbor eNBs）が送信しない。したがって、第１のｅＮＢによってサービスされるＵＥが受ける干渉が低減される。サブフレーム割当ては、アップリンクとダウンリンクの両方のチャネル上で実行され得る。
【００４４】
[0058]たとえば、サブフレームは、保護サブフレーム（protected subframes）（Ｕサブフレーム）、禁止サブフレーム（prohibited subframes）（Ｎサブフレーム）、および共通サブフレーム（Ｃサブフレーム）という３つのクラスのサブフレーム間で割り振られ得る。保護サブフレームは、第１のｅＮＢによって排他的に使用するために第１のｅＮＢに割り当てられる。保護サブフレームは、隣接するｅＮＢからの干渉がないことに基づいて「クリーン」サブフレームと呼ばれることもある。禁止サブフレームはネイバーｅＮＢに割り当てられたサブフレームであり、第１のｅＮＢは、禁止サブフレームの間にデータを送信することを禁止される。たとえば、第１のｅＮＢの禁止サブフレームは、第２の干渉するｅＮＢの保護サブフレームに対応し得る。したがって、第１のｅＮＢは、第１のｅＮＢの保護サブフレームの間にデータを送信する唯一のｅＮＢである。共通サブフレームは、複数のｅＮＢによってデータ送信のために使用され得る。共通サブフレームは、他のｅＮＢからの干渉の可能性があるため「非クリーン（unclean）」サブフレームと呼ばれることもある。
【００４５】
[0059]期間ごとに少なくとも１つの保護サブフレームが静的に割り当てられる。場合によっては、ただ１つの保護サブフレームが静的に割り当てられる。たとえば、期間が８ミリ秒である場合、８ミリ秒ごとの間に１つの保護サブフレームがｅＮＢに静的に割り当てられ得る。他のサブフレームが動的に割り振られ得る。
【００４６】
[0060]適応リソース区分情報（ＡＲＰＩ：adaptive resource partitioning information）は、非静的に割り当てられたサブフレームが動的に割り振られることを可能にする。保護、禁止、共通の任意のサブフレームが動的に割り振られ得る（それぞれ、ＡＵサブフレーム、ＡＮサブフレーム、ＡＣサブフレーム）。動的割当ては、たとえば、１００ミリ秒ごとにまたはそれ以下などで、急速に変化し得る。
【００４７】
[0061]異機種ネットワークは、異なる電力クラスのｅＮＢを有し得る。たとえば、３つの電力クラスが、電力クラスの高いものから順に、マクロｅＮＢ、ピコｅＮＢ、およびフェムトｅＮＢとして定義され得る。マクロｅＮＢとピコｅＮＢとフェムトｅＮＢとが同一チャネル展開中にあるとき、マクロｅＮＢ（アグレッサｅＮＢ（aggressor eNB））の電力スペクトル密度（ＰＳＤ：power spectral density）は、ピコｅＮＢおよびフェムトｅＮＢ（ビクティムｅＮＢ（victim eNBs））のＰＳＤよりも大きくなり、ピコｅＮＢおよびフェムトｅＮＢとの大量の干渉を作り出し得る。ピコｅＮＢおよびフェムトｅＮＢとの干渉を低減するかまたは最小限に抑えるために、保護サブフレームが使用され得る。すなわち、アグレッサｅＮＢ上の禁止サブフレームに対応するように、ビクティムｅＮＢに対して保護サブフレームがスケジュールされ得る。
【００４８】
[0062]図４は、本開示の一態様による、異機種ネットワークにおける時分割多重（ＴＤＭ）区分を示すブロック図である。ブロックの第１の行はフェムトｅＮＢのためのサブフレーム割当てを示し、ブロックの第２の行はマクロｅＮＢのためのサブフレーム割当てを示している。ｅＮＢの各々が静的保護サブフレームを有し、その間、他方のｅＮＢは静的禁止サブフレームを有する。たとえば、フェムトｅＮＢは、サブフレーム０中の禁止サブフレーム（Ｎサブフレーム）に対応する、サブフレーム０中の保護サブフレーム（Ｕサブフレーム）を有する。同様に、マクロｅＮＢは、サブフレーム７中の禁止サブフレーム（Ｎサブフレーム）に対応する、サブフレーム７中の保護サブフレーム（Ｕサブフレーム）を有する。サブフレーム１〜６は、保護サブフレーム（ＡＵ）、禁止サブフレーム（ＡＮ）、および共通サブフレーム（ＡＣ）のいずれかとして動的に割り当てられる。サブフレーム５および６中の動的に割り当てられた共通サブフレーム（ＡＣ）の間に、フェムトｅＮＢとマクロｅＮＢの両方がデータを送信し得る。
【００４９】
[0063]保護サブフレーム（Ｕ／ＡＵサブフレームなど）では、アグレッサｅＮＢが送信を禁止されるので、干渉が低減され、チャネル品質が高い。禁止サブフレーム（Ｎ／ＡＮサブフレームなど）では、ビクティムｅＮＢが干渉レベルの低いデータを送信できるように、データが送信されない。共通サブフレーム（Ｃ／ＡＣサブフレームなど）では、チャネル品質は、データを送信するネイバーｅＮＢの数に依存する。たとえば、ネイバーｅＮＢが共通サブフレーム上でデータを送信している場合、共通サブフレームのチャネル品質は保護サブフレームよりも低くなり得る。共通サブフレーム上のチャネル品質はまた、アグレッサｅＮＢによって強く影響を及ぼされる拡張境界エリア（ＥＢＡ：extended boundary area）ＵＥではより低くなり得る。ＥＢＡ  ＵＥは、第１のｅＮＢに属し得るが、第２のｅＮＢのカバレージエリア中にも位置し得る。たとえば、フェムトｅＮＢカバレージの範囲限界（range limit）の近くにあるマクロｅＮＢと通信しているＵＥは、ＥＢＡ  ＵＥである。
【００５０】
[0064]ＬＴＥ／−Ａにおいて採用され得る別の例示的な干渉管理方式は、低速適応（slowly-adaptive）干渉管理である。この手法を干渉管理に使用すると、スケジューリング間隔よりもはるかにより大きい時間スケールにわたってリソースがネゴシエートされ、割り振られる。本方式の目的は、ネットワークの総ユーティリティを最大にする、時間または周波数リソースのすべてにわたる、送信ｅＮＢおよびＵＥのすべてのための送信電力の組合せを発見することである。「ユーティリティ」は、ユーザデータレート、サービス品質（ＱｏＳ）フローの遅延、および公平性メトリック（fairness metrics）の関数として定義され得る。そのようなアルゴリズムは、最適化を解決するために使用される情報のすべてにアクセスでき、送信エンティティのすべてを制御する中央エンティティによって計算され得る。この中央エンティティは、常に実際的であるとは限らず、さらには望ましいとは限らないことがある。したがって、代替態様では、ノードのあるセットからのチャネル情報に基づいてリソース使用の決定を行う分散アルゴリズムが使用され得る。したがって、低速適応干渉アルゴリズムは、中央エンティティを使用するか、またはネットワーク中のノード／エンティティの様々なセットにわたってアルゴリズムを分散させることによって、のいずれかで、展開され得る。
【００５１】
[0065]ワイヤレスネットワーク１００など、異機種ネットワークの展開では、ＵＥは、ＵＥが１つまたは複数の干渉するｅＮＢからの高い干渉を観測し得る支配的干渉シナリオにおいて動作し得る。支配的干渉シナリオは、制限された関連付けにより発生し得る。たとえば、図１では、ＵＥ１２０ｙは、フェムトｅＮＢ１１０ｙに近接し得、ｅＮＢ１１０ｙについて高い受信電力を有し得る。しかしながら、ＵＥ１２０ｙは、制限された関連付けによりフェムトｅＮＢ１１０ｙにアクセスすることが可能でないことがあり、次いで、（図１に示すように）マクロｅＮＢ１１０ｃに、または同じくより低い受信電力でフェムトｅＮＢ１１０ｚ（図１に図示せず）に、接続し得る。その場合、ＵＥ１２０ｙは、ダウンリンク上でフェムトｅＮＢ１１０ｙからの高い干渉を観測し得、また、アップリンク上でｅＮＢ１１０ｙに高い干渉を引き起こし得る。協調干渉管理（coordinated interference management）を使用して、ｅＮＢ１１０ｃとフェムトｅＮＢ１１０ｙとは、リソースをネゴシエートするためにバックホール１３４を介して通信し得る。ネゴシエーションにおいて、フェムトｅＮＢ１１０ｙは、それのチャネルリソースのうちの１つの上での送信を中止することに同意し、それにより、ＵＥ１２０ｙがその同じチャネルを介してｅＮＢ１１０ｃと通信するときと同程度の、フェムトｅＮＢ１１０ｙからの干渉を、ＵＥ１２０ｙは経験しないであろう。
【００５２】
[0066]そのような支配的干渉シナリオにおいてＵＥで観測される信号電力の相異に加えて、ＵＥと複数のｅＮＢとの間の距離が異なるために、同期システムにおいても、ダウンリンク信号のタイミング遅延もＵＥによって観測され得る。同期システム中のｅＮＢは、推論上、システムにわたって同期される。しかしながら、たとえば、マクロｅＮＢから５ｋｍの距離にあるＵＥについて考察すると、そのマクロｅＮＢから受信された任意のダウンリンク信号の伝搬遅延は、約１６．６７μｓ（５ｋｍ÷３×１０8、すなわち、光速、「ｃ」）遅延されるであろう。マクロｅＮＢからのそのダウンリンク信号を、はるかに近いフェムトｅＮＢからのダウンリンク信号と比較すると、タイミング差は有効期間（ＴＴＬ：time-to-live）誤差のレベルに近づくことがある。
【００５３】
[0067]加えて、そのようなタイミング差は、ＵＥにおける干渉消去に影響を及ぼし得る。干渉消去は、同じ信号の複数のバージョンの組合せ間の相互相関特性（cross correlation properties）をしばしば使用する。同じ信号の複数のコピーを組み合わせることによって、おそらく信号の各コピー上に干渉があることになるが、それがおそらく同じロケーションにはないことになるので、干渉はより容易に識別され得る。組み合わされた信号の相互相関を使用して、実際の信号部分が決定され、干渉と区別され得、したがって干渉を消去することが可能になる。
【００５４】
[0068]図５は、図１の基地局／ｅＮＢのうちの１つであり得る基地局／ｅＮＢ１１０、および図１のＵＥのうちの１つであり得るＵＥ１２０の設計のブロック図を示す。制限された関連付けシナリオの場合、ｅＮＢ１１０は図１のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０は、アンテナ５３４ａ〜５３４ｔを装備し得、ＵＥ１２０は、アンテナ５５２ａ〜５５２ｒを装備し得る。
【００５５】
[0069]ｅＮＢ１１０において、送信プロセッサ５２０は、データソース５１２からデータを受信し、コントローラ／プロセッサ５４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ５２０は、データシンボルと制御シンボルとを取得するために、それぞれデータと制御情報とを処理（たとえば、符号化およびシンボルマッピング）し得る。送信プロセッサ５２０はまた、たとえば、ＰＳＳ、ＳＳＳ、およびセル固有基準信号のための基準シンボルを生成し得る。送信（ＴＸ）多入力多出力（ＭＩＭＯ）プロセッサ５３０は、適用可能な場合はデータシンボル、制御シンボル、および／または基準シンボルに対して空間処理（たとえば、プリコーディング）を実行し得、出力シンボルストリームを変調器（ＭＯＤ）５３２ａ〜５３２ｔに与え得る。各変調器５３２は、出力サンプルストリームを取得するために、（たとえば、ＯＦＤＭなどのための）それぞれの出力シンボルストリームを処理し得る。各変調器５３２はさらに、ダウンリンク信号を取得するために、出力サンプルストリームを処理（たとえば、アナログへの変換、増幅、フィルタ処理、およびアップコンバート）し得る。変調器５３２ａ〜５３２ｔからのダウンリンク信号は、それぞれアンテナ５３４ａ〜５３４ｔを介して送信され得る。
【００５６】
[0070]ＵＥ１２０において、アンテナ５５２ａ〜５５２ｒは、ｅＮＢ１１０からダウンリンク信号を受信し得、受信信号をそれぞれ復調器（ＤＥＭＯＤ）５５４ａ〜５５４ｒに与え得る。各復調器５５４は、入力サンプルを取得するために、それぞれの受信信号を調整（たとえば、フィルタ処理、増幅、ダウンコンバート、およびデジタル化）し得る。各復調器５５４はさらに、受信シンボルを取得するために、（たとえば、ＯＦＤＭなどのための）入力サンプルを処理し得る。ＭＩＭＯ検出器５５６は、すべての復調器５５４ａ〜５５４ｒから受信シンボルを取得し、適用可能な場合は受信シンボルに対してＭＩＭＯ検出を実行し、検出シンボルを与え得る。受信プロセッサ５５８は、検出シンボルを処理（たとえば、復調、デインターリーブ、および復号）し、ＵＥ１２０のための復号されたデータをデータシンク５６０に与え、復号された制御情報をコントローラ／プロセッサ５８０に与え得る。
【００５７】
[0071]アップリンク上では、ＵＥ１２０において、送信プロセッサ５６４は、データソース５６２から（たとえば、ＰＵＳＣＨのための）データを受信し、処理し得、コントローラ／プロセッサ５８０から（たとえば、ＰＵＣＣＨのための）制御情報を受信し、処理し得る。送信プロセッサ５６４はまた、基準信号用の基準シンボルを生成し得る。送信プロセッサ５６４からのシンボルは、適用可能な場合はＴＸ  ＭＩＭＯプロセッサ５６６によってプリコードされ、さらに（たとえば、ＳＣ−ＦＤＭなどのために）復調器５５４ａ〜５５４ｒによって処理され、ｅＮＢ１１０に送信され得る。ｅＮＢ１１０において、ＵＥ１２０からのアップリンク信号は、アンテナ５３４によって受信され、変調器５３２によって処理され、適用可能な場合はＭＩＭＯ検出器５３６によって検出され、ＵＥ１２０によって送られた復号されたデータと制御情報とを取得するために、受信プロセッサ５３８によってさらに処理され得る。プロセッサ５３８は、復号されたデータをデータシンク５３９に与え、復号された制御情報をコントローラ／プロセッサ５４０に与え得る。
【００５８】
[0072]コントローラ／プロセッサ５４０および５８０は、それぞれｅＮＢ１１０における動作およびＵＥ１２０における動作を指示し得る。ｅＮＢ１１０におけるコントローラ／プロセッサ５４０および／または他のプロセッサとモジュールは、本明細書で説明する技法のための様々なプロセスを実行するか、またはその実行を指示し得る。ＵＥ１２０におけるコントローラ／プロセッサ５８０および／または他のプロセッサとモジュールはまた、図６〜図１５に示す機能ブロック、および／または本明細書で説明する技法のための他のプロセスを実行するか、またはその実行を指示し得る。メモリ５４２および５８２は、それぞれｅＮＢ１１０およびＵＥ１２０のためのデータとプログラムコードとを記憶し得る。スケジューラ５４４は、ダウンリンク上および／またはアップリンク上でのデータ送信のためにＵＥをスケジュールし得る。
【００５９】
[0073]図６を参照すると、２つの独立したチャネル状態情報（ＣＳＩ）−基準信号（ＲＳ）プロセスを使用するワイヤレス通信のためのシステム６００の例示的な態様が示されている。図６に示すように、システム６００は、基地局６１０と、ユーザ機器（ＵＥ）６３０とを含む。基地局６１０は、プロセッサ６１２と、メモリ６１４と、２段プリコーダ６１６と、トランシーバ６１８とを含む。メモリ６１４は、プロセッサ６１２によって実行されると、図６〜図１５に関して本明細書で説明する動作をプロセッサ６１２に実行させる命令６１５を記憶する。一態様では、基地局６１０は、発展型ノードＢ（ｅＮＢ）（たとえば、図１のｅＮＢ１１０ａ、ｅＮＢ１１０ｂ、もしくはｅＮＢ１１０ｃまたは図５の基地局／ｅＮＢ１１０）であり得る。一態様では、トランシーバ６３８は、図５に関して説明するアンテナ５３４ａ〜５３４ｔと、他の回路（たとえば、図５の復調器／変調器５３２ａ〜５３２ｔ、ＭＩＭＯ検出器５３６、受信プロセッサ５３８、図５の送信ＭＩＭＯプロセッサ５３０、図５の送信プロセッサ５２０など）とを含み得る。一態様では、プロセッサ６１２は図５のコントローラ／プロセッサ５４０であり得、メモリ６１４は図５のメモリ５４２であり得る。トランシーバ６３８は、複数のアンテナを含むアンテナアレイを含み得るか、またはそれに結合され得る。一態様では、複数のアンテナは８つ（８）のアンテナを含み得、アンテナの各々は８つ（８）のアンテナポートに関連付けられ得る。８つ（８）のアンテナの各々は、２つ以上のアンテナ要素を含み得る。一態様では、アンテナ要素は、交差偏極構成（a cross-polarized configuration）で配置され得る。アンテナの各々は、１つまたは複数のアンテナポートに関連付けられ得る。一態様では、アンテナアレイは、６４個（６４）のアンテナポートに関連付けられ得る。
【００６０】
[0074]ＵＥ６３０は、プロセッサ６３２と、メモリ６３４と、トランシーバ６３８とを含む。メモリ６３４は、プロセッサ６３２によって実行されると、図６〜図１５に関して本明細書で説明する動作をプロセッサ６３２に実行させる命令６３６を記憶する。一態様では、ＵＥ６３０は、図１のＵＥ１２０（たとえば、図１のＵＥ１２０ｘまたはＵＥ１２０ｙ）であり得るか、または図５に関して説明するＵＥ１２０であり得る。一態様では、トランシーバ６３８は、図５に関して説明するアンテナ５５２ａ〜５５２ｒと、他の回路（たとえば、図５の復調器／変調器５５４ａ〜５５４ｒ、ＭＩＭＯ検出器５５６、受信プロセッサ５５８、図５の送信ＭＩＭＯプロセッサ５６６、図５の送信プロセッサ５６４など）とを含み得る。一態様では、プロセッサ６３２は図５のコントローラ／プロセッサ５８０であり得、メモリ６３４は図５のメモリ５８２であり得る。
【００６１】
[0075]動作中、基地局６１０はワイヤレスリンク６２０を介してＵＥ６３０と通信し得る。基地局６１０からＵＥ６３０に送信された信号は、２段プリコーダ６１６を使用して符号化され得る。２段プリコーダ６１６は、第１のプリコーダ（図６に図示せず）と、第２のプリコーダ（図６に図示せず）とを含み得、２段プロセス（a two-stage process.）を使用して初期化され得る。２段プロセスの第１の段（a first stage）の間、基地局６１０はワイヤレス通信リンク６２０の順方向リンク部分を介して第１の基準信号６２２をＵＥ６３０に送信し得る。第１の基準信号６２２は、第１の段のＣＳＩ−ＲＳ信号（a first stage CSI-RS signal）であり得る。一態様では、第１の基準信号６２２はセル共通であり得（たとえば、基地局６１０によってサービスされるセル中のすべてのＵＥにブロードキャストされる）、無線リソース制御（ＲＲＣ）メッセージングは、ＵＥ６３０が第１の基準信号に基づいてフィードバック情報を与えるべきであることを示すために使用され得る。一態様では、第１の基準信号６２２は、図８に関して説明するリソースブロック８５０などのリソースブロックに関連して送信され得る。第１の基準信号６２２は、複数のアンテナポートのうちのアンテナポートのセットを使用して基地局６１０から送信され得る。アンテナポートのセットを使用して第１の基準信号６２２を送信することの例示的な態様について、図９に関して説明する。
【００６２】
[0076]ＵＥ６３０は、第１の基準信号６２２を受信し得、第１の基準信号６２２に基づいて第１のフィードバック情報を生成し得る。第１のフィードバック情報は、ワイヤレス通信リンク６２０の逆方向リンク部分を介して第１のフィードバック信号６２４としてＵＥ６３０から基地局６１０に送信され得る。一態様では、第１のフィードバック信号６２４は、第１の基準信号６２２に関連付けられたプリコーディング行列インジケータ（ＰＭＩ：a precoding matrix indicator）、第１の基準信号６２２に関連付けられたランク指示（ＲＩ：a rank indication）、または両方を含む。加えて、図９に関して説明するように、ＵＥ６３０は、基地局６１０から、アンテナポートのセット中に含まれるアンテナポートの数と、サブフレームロケーションインデックスと、リソースブロックに関連付けられたリソース要素構成と、第１の基準信号６２２がＴＴＩバンドリングを使用して送信されるかどうかを示す送信時間間隔（ＴＴＩ）バンドリングフラグとを識別する情報を含む構成メッセージ（図１に図示せず）を受信し得る。ＵＥ６３０は、第１の基準信号６２２を検出し得、構成メッセージ中に含まれる情報に少なくとも部分的に基づいて第１のフィードバック信号６２４を生成し得る。一態様では、図１０および図１２に関して説明するように、ＵＥは、第１のフィードバック情報に基づいて、段２のシグナリング（stage two signaling）のためにＵＥに割り振られるリソースのセットを決定し得る。
【００６３】
[0077]基地局６１０は、ＵＥ６３０から第１のフィードバック信号６２４を受信し得、第１のフィードバック信号６２４中に含まれる第１のフィードバック情報に基づいて第１のプリコーダを構成し得る。一態様では、図７に関して説明するように、第１のプリコーダはポートプリコーダ（a port precoder）であり得る。第１のプリコーダは、アンテナポートのセットを複数のアンテナ要素のうちのアンテナ要素のセットにマッピングし得る。基地局６１０は、第１のプリコーダの構成に基づいて第２の基準信号６２６をＵＥ６３０に送信し得る。
【００６４】
[0078]ＵＥ６３０は、ワイヤレス通信リンク６２０を介して基地局６１０から第２の基準信号６２６を受信し得、第２の基準信号６２６に基づいて第２のフィードバック情報を生成し得る。第２のフィードバック情報は、第２の基準信号６２６に関連付けられた第２のＰＭＩ、第２の基準信号６２６に関連付けられた第２のＲＩ、または両方を識別し得る。基地局６１０は、ＵＥ６３０から第２のフィードバック信号６２８を受信し得、第２のフィードバック情報に基づいて２段プリコーダ６１６の第２のプリコーダを構成し得る。一態様では、図７に関して説明するように、第２のプリコーダはレイヤプリコーダ（a layer precoder）であり得る。第２のプリコーダは、第２の基準信号６２８中に含まれる第２のフィードバック情報に基づいて、データストリームを複数のアンテナポートのうちのアンテナポートの特定のセットにマッピングし得る。
【００６５】
[0079]２段プリコーダ６１６（たとえば、第１のプリコーダおよび第２のプリコーダ）を構成したことに応答して、基地局６１０はデータストリームをＵＥ６３０に送信し得る。たとえば、基地局６１０は、ＵＥ６３０に送信されるべきデータストリームを受信し得る。基地局６１０は、符号化データストリームを生成するために、第１のプリコーダと第２のプリコーダとを使用してデータストリームを処理し得る。基地局６１０は、ワイヤレス通信リンク６２０を使用してデータストリーム信号６４０をＵＥ６３０に送信し得る。データストリーム信号６４０は、符号化データストリームを含み得る。２段プリコーダ６１６を構成するために２段プロセスを使用することによって、基地局６１０は増加した数のアンテナポート（たとえば、６４個のアンテナポート）をサポートするように動作可能であり得る。加えて、２段プリコーダ６１６を構成するために２段プロセスを使用することによって、パイロット信号とＣＳＩ−ＲＳフィードバックとによって消費される帯域幅の量が低減され得る。
【００６６】
２段基準信号（TWO-STAGE REFERENCE SIGNALS）およびＵＥグループ化
[0080]一態様では、基地局６１０はＵＥをグループに分類し得る。たとえば、基地局６１０は、第１のフィードバック情報に基づいてＵＥ６３０を分類し得る。加えて、基地局６１０は、追加のＵＥ（図６に図示せず）から第１の追加のフィードバック信号を受信し得る。第１の追加のフィードバック信号は、第１の基準信号６２２に基づいて追加のＵＥによって生成され得る。一態様では、基地局６１０は、ＵＥ６３０から受信された第１のフィードバック信号６２４と追加のＵＥから受信された第１の追加のフィードバック信号とに少なくとも部分的に基づいて、第１のプリコーダを構成し得る。
【００６７】
[0081]基地局６１０は、ＵＥの分類に基づいてリソースをＵＥに割り振り得る。たとえば、ＵＥは、第１のフィードバック信号６２４中に含まれる第１のフィードバック情報中に含まれるＰＭＩインデックスに基づいて、特定のＵＥグループに分類され得る。第１のフィードバック情報に基づいてＵＥに割り振られるリソースは、第２の基準信号６２６をＵＥに送信するために使用され得る。追加または代替として、基地局６１０は、第１のフィードバック情報に基づいてリソースの第１のセットを特定のＵＥグループに割り振り得、第２の基準信号６２６を第１のセットのリソースを使用する特定のＵＥグループ中に含まれるＵＥに送信し得る。一態様では、基地局６１０は、制御情報をＵＥ６３０に送信し得る。制御情報は、分類に基づいてＵＥ６３０に割り振られるリソースを識別し得る。リソースの割振りを使用して第２の基準信号６２６を送信することの例示的な態様について、図１０および図１２に関して説明する。
【００６８】
[0082]一態様では、ＵＥは、第１のフィードバック信号６２４中に含まれるＲＩに少なくとも部分的に基づいて、特定のＵＥグループに分類され得る。代替または追加として、ＵＥは、ＰＭＩとＲＩとに基づいて特定のＵＥグループに分類され得る。一態様では、図１２に関して説明するように、第２の基準信号６２６は、ホッピングパターンに従って割り振られるリソースのセットから送信され得る。図１２に関して説明するように、基地局６１０は、第１のフィードバック情報とホッピングパターンとに基づいて、次のＴＴＩの間に第２の基準信号を第１のＵＥグループに送信するために使用されるべきリソースの次のセットを決定し得る。
【００６９】
[0083]第２の基準信号６２６を送信したことに応答して、基地局６１０は、第２のフィードバック信号６２８を受信し得、追加のＵＥから第２の追加のフィードバック情報を受信し得る。第２の追加のフィードバック情報は、第２の基準信号６２６に関連付けられ得る。基地局６１０は、第２の追加のフィードバック情報に少なくとも部分的に基づいて、第２のプリコーダを構成し得る。一態様では、基地局６１０は、追加の符号化データストリームを生成するために、第１のプリコーダと第２のプリコーダとを使用して追加のデータストリームを処理し得る。追加のデータストリームは、図７に関して説明するように処理され得、基地局６１０によって追加のＵＥに送信され得る。
【００７０】
２段基準信号を使用したスクランブリングシーケンス初期化
[0084]一態様では、基地局は、第１のフィードバック情報に基づいてオフセット値を決定し得、オフセット値に少なくとも部分的に基づいてスクランブリングシーケンスを初期化し得る。たとえば、オフセット値は、ＰＭＩインデックス（たとえば、第１のフィードバック情報中に含まれるＰＭＩインデックス）に関連付けられたリソースインデックスに基づいて決定され得る。一態様では、スクランブリングシーケンスは、以下のように式１に従って初期化され得る。  
【数１】
0006462677.tif 000002
【００７１】
ここで、ｎoffsetは、決定されたＣＳＩ−ＲＳリソースインデックス、またはリソースインデックスによって選択された上位レイヤ構成値のうちの１つであり、ｎsは、無線フレーム中のスロット番号を示し、ｌは、直交周波数分割多重化（ＯＦＤＭ）シンボル番号であり、
【数２】
0006462677.tif 000003
【００７２】
は、ＵＥ６３０が同期させられるセル識別子（たとえば、基地局６１０によってサービスされるセル）に対応する。
【００７３】
[0085]スクランブリングシーケンスを初期化したことに応答して、基地局６１０は、初期化されたスクランブリングシーケンスに基づいて第２の基準信号６２６を符号化し得る。基地局６１０は、第２のＴＴＩの間に第２の基準信号６２６をＵＥ６３０に送信するために使用されるリソースの別のセットに基づいて、オフセット値（たとえば、ｎoffset）を動的に修正し得る。たとえば、図１２に関して説明するように、基地局６１０がリソースマッピングホッピングを使用するとき、オフセット値（たとえば、ｎoffset）は第２の基準信号６２６を送信するために使用されるべき特定のＣＳＩ−ＲＳリソースに基づいて更新され得る。
【００７４】
[0086]一態様では、基地局６１０は、ＵＥ６３０から受信された追加の第１のフィードバック情報に基づいて、第２のオフセット値を決定し得る。追加のフィードバック情報は、基地局６１０から追加の第１の基準信号を受信したことに応答して、ＵＥ６３０によって生成され得る。追加の第１の基準信号は、第１の基準信号６２２の送信の後に、基地局によって送信され得る。基地局６１０は、第２のオフセット値に基づいて第２のスクランブリングシーケンスを初期化し得、追加の第２の基準信号をＵＥ６３０に送信し得る。追加の第２の基準信号は、第２のスクランブリングシーケンスに基づいて符号化され得る。追加または代替として、図７に関して説明するように、スクランブリングシーケンスは、第２のプリコーダを使用してデータストリームを符号化するために使用され得る。
【００７５】
[0087]図７を参照すると、２段プリコーディングプロセス７００を実行するために２段プリコーダ７１０を使用することのブロック図が示されている。一態様では、２段プリコーディングプロセス７００は図６の基地局６１０などの基地局によって実行され得、２段プリコーダ７１０は図６の２段プリコーダ６１６であり得る。図７に示すように、２段プリコーダ７１０は、レイヤプリコーダ７１２と、ポートプリコーダ７１４とを含む。一態様では、レイヤプリコーダ７１２は図６の２段プリコーダ６１６の第２のプリコーダであり得、ポートプリコーダ７１４は図６の２段プリコーダ６１６の第１のプリコーダであり得る。ポートプリコーダ７１４は、アンテナポートのセットを基地局（たとえば、図６の基地局６１０）の複数のアンテナ要素のうちのアンテナ要素のセットにマッピングし得る。レイヤプリコーダ７１２は、第２のフィードバック情報（たとえば、第２の基準信号６２８）に基づいて、データストリームを複数のアンテナポートのうちのアンテナポートのセットにマッピングし得る。追加または代替として、レイヤプリコーダ７１２は、スクランブリングシーケンス（たとえば、図６の式１に関して説明するスクランブリングシーケンス）を使用してデータストリームを符号化し得る。
【００７６】
[0088]動作中、ポートプリコーダは、論理ブロック７２０において、マッピングされたパイロットシーケンスの第１のセットを生成するために、パイロットシーケンスの送信のための、ポートから要素へのマッピング（port-to-element mapping）を実行し得る。図７に示すように、ポートから要素へのマッピングを実行することは、Ｑ個のアンテナポートをＮ個のアンテナ要素にマッピングすることを含み得、ここで、ＱはＮ未満である。マッピングされたパイロットシーケンスの第１のセットは、データ／パイロット多重化論理ブロック７３０に与えられ得、ここで、マッピングされたパイロットシーケンスの第１のセットは、データ／パイロット多重化ストリームを生成するために、マッピングされたデータストリーム（たとえば、２段プリコーダ７１０を使用してプリコーディングされたデータストリーム）と多重化される。データ／パイロット多重化ストリームは、データ／パイロット多重化論理ブロック７３０からＯＦＤＭ変調論理ブロック７４０に与えられ得る。
【００７７】
[0089]ＯＦＤＭ変調論理ブロック７４０は、データ／パイロット多重化ストリーム上でデジタルアナログ変換を実行し得、データ／パイロットＯＦＤＭストリームを生成するために直交周波数分割多重化（ＯＦＤＭ）をデータ／パイロット多重化ストリームに適用し得る。データ／パイロットＯＦＤＭストリームは、ＯＦＤＭ変調論理ブロック７４０から、データ／パイロットＯＦＤＭストリームが送信前に多重化される第２のデータ／パイロット多重化ブロック７５０に与えられ得る。
【００７８】
[0090]２段プリコーディングプロセス（two-stage precoding process）７００の第１の段（a first stage）の間、パイロットシーケンスの第１のセットは、第１の送信される信号を生成するために、ポートプリコーダ７１４と論理ブロック７２０、７３０、７４０、７５０とを使用して処理され得る。一態様では、第１の送信される信号は、図６の第１の基準信号６２２に対応し得る。基地局は、ユーザ機器（ＵＥ）から第１のフィードバック情報を受信し得、第１のフィードバック情報に基づいてポートプリコーダ７１４を構成し得る。一態様では、ＵＥは図６のＵＥ６３０であり得、第１のフィードバック情報は図６の第１のフィードバック信号６２４として基地局において受信され得る。
【００７９】
[0091]２段プリコーディングプロセス（the two-stage precoding process）７００の第２の段（a second stage）の間、パイロットシーケンスの第２のセットは、第２の送信される信号を生成するために、ポートプリコーダ７１４と論理ブロック７２０、７３０、７４０、７５０とを使用して処理され得る。一態様では、第２の送信される信号は、図６の第２の基準信号６２６に対応し得る。基地局は、ＵＥから第２のフィードバック情報を受信し得、第１のフィードバック情報に基づいてレイヤプリコーダ７１２を構成し得る。一態様では、第２のフィードバック情報は、図６の第２のフィードバック信号６２８として基地局において受信され得る。
【００８０】
[0092]第２のフィードバック情報に基づいてレイヤプリコーダ７１２を構成した後、２段プリコーダ７１０はＵＥへのデータストリームの送信のために構成され得る。たとえば、２段プリコーダ７１０はＳ個のデータストリームを受信し得る。Ｓ個のデータストリームは、論理ブロック７１６において、マッピングされたデータストリームの第１のセットを生成するために、レイヤプリコーダ７１２を使用してＱ個のポートのセットにマッピングされ得る。マッピングされたデータストリームの第１のセットは、第２の論理ブロック７１８に与えられ得、ここで、Ｑ個のポートのセットがＮ個のアンテナ要素のセットにマッピングされる。したがって、２段エンコーダ７１０は、Ｑ個のポートのセットにマッピングされ、Ｎ個のアンテナ要素のセットにマッピングされるデータストリームのセットを生成し得、さらなる処理とＮ個のアンテナ要素のセットからの送信とのためにデータストリームのセットを論理ブロック７３０、７４０、７５０に与え得る。
【００８１】
[0093]図８を参照すると、６４個（６４）のアンテナポートに関連する信号の送信で使用するためのリソースブロック構成の例示的な態様が示されている。図８に示すように、第１のリソースブロック８００および第２のリソースブロック８５０。第１の基準ブロック８００および第２の基準ブロック８５０はそれぞれ、複数のリソース要素８０２、８５２を含む。複数のリソース要素８０２、８５２のうちの特定のリソース要素は、共通基準信号（ＣＲＳ）およびＵＥ固有基準信号（ＵＥ−ＲＳ）の送信のために予約され得る。たとえば、基準ブロック８００では、リソース要素８０４は、ＣＲＳの送信のために予約された、複数のリソース要素８０２のうちのリソース要素に対応する。基準ブロック８５０では、リソース要素８５４は、ＣＲＳの送信のために予約された、複数のリソース要素８５２のうちのリソース要素に対応する。
【００８２】
[0094]リソースブロック８００、８５０はまた、第１の段の基準信号（first stage reference signals）（たとえば、図６の第１の基準信号６２２）を送信するために使用され得るリソース要素を含む。たとえば、第１のリソースブロック８００は第１の基準信号を送信するために使用され得るリソース要素８０６を含み、第２のリソースブロック８５０は、第１の基準信号を送信するために使用され得るリソース要素８５６を含む。第１のリソースブロック８００は、最大４０個（４０）のアンテナポートに関連する送信をサポートし得る。第２のリソースブロック８５０は、本明細書で説明する態様のうちの１つまたは複数によれば、６４個（６４）のアンテナポートに関連付けられた送信をサポートし得る。破線８３０で示すように、第２のリソースブロック８５０は、第２のリソースブロック８５０内で左側にシフトされた第１のリソースブロック８００の部分８２０を含む。加えて、複数のリソース要素８５２の第２の部分８６０は、追加のポート（たとえば、ポート４０〜６３）を使用する第１の基準信号の送信のために、第２のリソースブロック８５０内で割り振られている。
【００８３】
[0095]本明細書で説明する態様のうちの１つまたは複数は、リソースブロック８５０と同様のリソースブロックを使用して信号を送信し得る。たとえば、図６の基地局６１０は、第２のリソースブロック８５０のリソース要素割振りに従って、第１の基準信号６２２を送信し得る。加えて、基地局６１０からＵＥ６３０に送信される制御メッセージは、リソースブロックに関連付けられた第１の基準信号６２２を送信するために使用されるリソース要素構成を識別し得る。リソース要素構成は、第１の基準信号６２２を含む複数のリソース要素８５２のうちのリソース要素のセット（たとえば、リソース要素８５６）を識別し得る。
【００８４】
[0096]図９を参照すると、アンテナポートのセットを使用して第１の基準信号を送信することの例示的な態様が示されている。９０２において、６４個（６４）のアンテナポート（たとえば、ポート０〜６３）を使用して第１の基準信号（たとえば、図６の第１の基準信号６２２）を送信することの第１の例示的な態様が示されている。この態様では、基地局（たとえば、図６の基地局６１０）は、各送信機会の間にすべてのアンテナポートを使用して第１の基準信号を送信し得る。一態様では、基地局は、６４個（６４）のポートを使用して第１の基準信号を送信するために、周波数分割多重化（ＦＤＭ）を使用し得る。
【００８５】
[0097]９０４において、ＴＴＩバンドリングを使用して第１の基準信号を送信することの第２の例示的な態様が示されている。この態様では、複数のアンテナポートはアンテナポートのＮ個のセットに分割され得、第１の基準信号はアンテナポートのＮ個のセットのうちのアンテナポートの単一のセットを使用して送信され得る。たとえば、Ｎが４（４）であるとき、６４個（６４）のポートはポートの４つ（４）のグループに分割され、ポートの４つ（４）のグループの各々は１６個（１６）のポートを含み得る。第１のＴＴＩの間、ポートの第１のグループ（たとえば、ポート０〜１５）は第１の基準信号を送信するために使用される。第２のＴＴＩの間、ポートの第２のグループ（たとえば、ポート１６〜３１）は第１の基準信号を送信するために使用される。第３のＴＴＩの間、ポートの第３のグループ（たとえば、ポート３２〜４７）は第１の基準信号を送信するために使用される。第４のＴＴＩの間、ポートの第４のグループ（たとえば、ポート４８〜６３）は第１の基準信号を送信するために使用される。第１のＴＴＩ、第２のＴＴＩ、第３のＴＴＩ、および第４のＴＴＩは、連続するＴＴＩであり得る。したがって、第１の基準信号を送信するためにＴＴＩバンドリングが使用されるとき、基地局は複数のポートをポートのＮ個のセットに分割し得、各送信機会においてＮ個の連続するＴＴＩの間に使用され得るポートのＮ個のセットのうちのポートの異なるセットを使用して第１の基準信号を送信し得る。一態様では、基地局は、ＴＴＩバンドリングを使用して第１の基準信号を送信するために、時分割多重化（ＴＤＭ）を使用し得る。
【００８６】
[0098]９０６において、第１の基準信号を送信することの第３の例示的な態様が示されている。この態様では、複数のアンテナポートはアンテナポートのＮ個のセットに分割され得、第１の基準信号は各送信機会の間にアンテナポートのＮ個のセットのうちのアンテナポートの同じセットを使用して送信され得る。たとえば、図９に示すように、９０６において、各送信機会の間に、ポートの第１のセット（たとえば、ポート０〜１５）は第１の基準信号を送信するために使用される。各送信機会において第１の基準信号を送信するためにポートの１つのセットを使用することによって、基準信号の送信に関連付けられたオーバーヘッドの量が低減され得る。さらに、ポートの異なるセット間のチャネル共分散（channel covariance）が同じであると仮定すると、第１のフィードバック信号（たとえば、図６の第１のフィードバック信号６２４）に基づいて構成されるポートプリコーダ（たとえば、図６に関して説明する第１のプリコーダまたは図７のポートプリコーダ７１４）は、ポートの他のセット（たとえば、それぞれ、ポート１６〜３１、３２〜４７、および４８〜６３）上で第２の基準信号（たとえば、図６の第２の基準信号６２６）を送信するために使用され得る。
【００８７】
[0099]９０８において、第１の基準信号を送信することの第４の例示的な態様が示されている。この態様では、基地局は、ポートをポートのＮ個のセットに分割し得、各送信機会の間にポートの異なるセットから第１の基準信号を送信し得る。たとえば、図９に示すように、９０８において、第１の送信機会の間、基地局は、ポートの第１のセット（たとえば、ポート０〜１５）を使用して第１の基準信号を送信し得、第２の送信機会の間、基地局は、ポートの第２のセット（たとえば、ポート１６〜３１）を使用して第１の基準信号を送信し得る。第３の送信機会において、基地局は、ポートの第３のセット（たとえば、ポート３２〜４７）を使用して第１の基準信号を送信し得、第４の送信機会の間、基地局は、ポートの第４のセット（たとえば、ポート４８〜６３）を使用して第１の基準信号を送信し得る。各送信機会の間にポートの異なるセットを使用して第１の基準信号を送信することによって、第１の基準信号を送信するために使用されるオーバーヘッドの量が低減され得る。
【００８８】
[00100]図１０を参照すると、第２の基準信号の送信に関連付けられたリソースマッピングを決定するために暗黙的なシグナリングを使用することの例示的な態様が示されており、１０００と称される。図６に関して説明するように、図６のＵＥ６３０などのユーザ機器（ＵＥ）は、第２の基準信号（たとえば、図６の第２の基準信号６２６）の送信のために割り振られるリソースのセットを第１のフィードバック情報（たとえば、図６に関して説明する第１のフィードバック情報）に基づいて暗黙的に決定し得る。たとえば、第１のフィードバック情報は、プリコーディング行列インジケータ（ＰＭＩ）を含み得る。第１のフィードバック情報中に含まれるＰＭＩは、２段プリコーディングプロセスの段２の間、特定のチャネル状態情報（ＣＳＩ）−基準信号（ＲＳ）構成に関連付けられ得る。特定のＣＳＩ−ＲＳ構成は、第２の基準信号（たとえば、図６の第２の基準信号６２６）の送信のために割り振られるリソースの特定のセットを識別し得る。
【００８９】
[00101]たとえば、図１０では、複数のリソース１０６０、１０７０、１０８０が示されている。リソースの各々は、特定のＣＳＩ−ＲＳに関連付けられ得る。考えられるＰＭＩ値の各々は、複数のリソース１０６０、１０７０、１０８０のうちの特定のＣＳＩ−ＲＳリソースに関連付けられ得る。たとえば、ＣＳＩ−ＲＳリソース１０６０は、線１０６２によって示されるＰＭＩインデックスの第１のセットに関連付けられ得、ＣＳＩ−ＲＳリソース１０８０は、線１０８２によって示されるＰＭＩインデックスの第２のセットに関連付けられ得る。ＰＭＩインデックスの第１のセットは、第１のＰＭＩインデックス１００５と、第２のＰＭＩインデックス１０１５と、第３のＰＭＩインデックス１０２５と、第４のＰＭＩインデックス１０３５と、第５のＰＭＩインデックスと１０４５とを含む。ＰＭＩインデックスの第２のセットは、第６のＰＭＩインデックス１０１０と、第７のＰＭＩインデックス１０２０と、第８のＰＭＩインデックス１０３０と、第９のＰＭＩインデックス１０４０と、第１０のＰＭＩインデックス１０５０とを含む。
【００９０】
[00102]ＵＥは、第１のフィードバック情報中に含まれるＰＭＩインデックスに基づいて、第２の段の基準信号（second stage reference signal）（たとえば、図６の第２の基準信号６２６）の送信のために割り振られる特定のＣＳＩ−ＲＳリソースを決定し得る。たとえば、第１のフィードバック情報中に含まれるＰＭＩインデックスがＰＭＩインデックスの第１のセット中に含まれるＰＭＩインデックスに対応するとき、ＵＥは、第２の段の基準信号を受信するためにＣＳＩ−ＲＳリソース１０６０を使用し得る。別の例として、第１のフィードバック情報中に含まれるＰＭＩインデックスがＰＭＩインデックスの第２のセット中に含まれるＰＭＩインデックスに対応するとき、ＵＥは、第２の段の基準信号を受信するためにＣＳＩ−ＲＳリソース１０８０を使用し得る。
【００９１】
[00103]特定のリソースに関連付けられたＰＭＩインデックスのセットは、同じリソース上の異なるＰＭＩ（たとえば、第１のＰＭＩ１００５および第２のＰＭＩ１０１５）が直交または擬似直交であるように決定され得る。直交または擬似直交であるＰＭＩのセットを特定のリソースに関連付けることによって、信号間の干渉の量が低減または削減され得る。加えて、複数のＵＥは、複数のＵＥの各々から受信されたそれぞれの第１のフィードバック信号において識別されたＰＭＩインデックスに従って分類され得る。複数の直交または擬似直交ＰＭＩインデックスをＵＥの特定のグループに関連付けることによって、基地局は、低減された量のオーバーヘッドおよび干渉で、第２の段の基準信号（たとえば、図６の第２の基準信号６２６）を複数のＵＥ（たとえば、ＵＥのグループ）に送信することができる。一態様では、基地局は、ＰＭＩインデックスとＰＭＩインデックスに割り振られるリソースとを示す情報を与えるために、無線リソース制御（ＲＲＣ）シグナリングを使用し得る。一態様では、ＰＭＩインデックスとＰＭＩインデックスに割り振られるリソースとを示す情報は、ＵＥが基地局によってサービスされるセルに入るときに与えられ得る。ＵＥは段２の基準信号（stage two reference signal）を送信するために基地局によって使用されるべきリソースを決定することができるので、（たとえば、段２のシグナリングのために使用されるべきリソースのセットを示すためのオーバーヘッドシグナリングがより少ないことにより）基地局とＵＥとの間のシグナリングの量が低減され得る。一態様では、図１２に関して説明するように、ＣＳＩ−ＲＳリソースの構成は静的であるよりむしろ変動し得る。
【００９２】
[00104]図１１を参照すると、第２の基準信号の送信に関連付けられたリソースマッピングを示すために明示的なシグナリングを使用することの一態様が示されており、１１００と称される。図１１では、段２のシグナリング（たとえば、図６の第２の基準信号６２６を送信すること）に使用されるべき特定のＣＳＩ−ＲＳリソースを明示的に示すために使用され得る情報の一態様が示されている。図１１に示すように、情報は、基地局（たとえば、図６の基地局６１０）からユーザ機器（たとえば、図６のＵＥ６３０）において受信されたメッセージ（たとえば、Ｌ１制御メッセージ）の複数のフィールド１１０２〜１１１６のうちの特定のフィールド中に含まれ得る。
【００９３】
[00105]フィールド１１０２〜１１１２の各々は、特定のＵＥに関連付けられ得る。たとえば、第１のフィールド１１０２は第１のＵＥに関連付けられ得、第２のフィールド１１０４は第２のＵＥに関連付けられ得、第Ｎのフィールド１１１２は第ＮのＵＥに関連付けられ得る。図１１に示すように、第１のフィールド１１０２は、ＵＥが段２のシグナリングについて監視すべきである特定のＣＳＩ−ＲＳリソース（たとえば、図１０のＣＳＩ−ＲＳリソース１０６０、１０７０、１０８０のうちの１つ）を識別するＭビット（たとえば、ビットｂ0〜ｂM-1）を含むＭビットフィールド１２０を含み得る。一態様では、情報は物理ダウンリンク制御チャネル（ＰＤＣＣＨ）を使用して基地局からＵＥに送信され得る。ＵＥは、段２の基準信号をＵＥに送信するために使用されるべき段２のリソース割振りを決定するためにＰＤＣＣＨを監視し得る。
【００９４】
[00106]図１２を参照すると、リソースマッピングホッピングを使用して第２の基準信号を送信することの例示的な態様が示されており、１２００と称される。図１２では、複数の送信機会１２０２、１２０４、１２０６、１２０８が示されている。第１の送信機会１２０２において、ＣＳＩ−ＲＳリソース＃１（たとえば、図１０のＣＳＩ−ＲＳ１６０）は、第２の段の基準信号（たとえば、図６の第２の基準信号６２６）を、ＵＥ１、２、３を含むＵＥのセットに送信するために使用され得る。図１２に示すように、ＣＳＩ−ＲＳリソース＃２（たとえば、図１０の他のＣＳＩ−ＲＳリソース１７０のうちの１つ）は、第２の段の基準信号をＵＥ４に送信するために使用され得、ＣＳＩ−ＲＳリソース＃３、＃４は、第２の段の基準信号を送信するために使用されなくてもよい。第２のＴＴＩ１２０４において、ＣＳＩ−ＲＳリソース＃１は、第２の段の基準信号をＵＥ１〜４に送信するために使用されなくてもよい。第２のＴＴＩ１２０４の間、ＣＳＩ−ＲＳリソース＃２、＃３、および＃４は、第２の段の基準信号をＵＥ１〜４に送信するために使用され得る。したがって、各ＣＳＩ−ＲＳリソースがＰＭＩ値の静的なセットに関連付けられた図１０とは対照的に、図１２の態様では、ＣＳＩ−ＲＳリソースはホッピングパターンに基づいてＰＭＩの異なるセットに関連付けられる。
【００９５】
[00107]一態様では、ホッピングパターンはグループごとに定義され得、同じグループのＰＭＩは同じホッピングパターンを有し得る。一態様では、ＣＳＩ−ＲＳリソースインデックス（たとえば、段２のシグナリングに使用されるべき特定のＣＳＩ−ＲＳリソースを識別する情報）は、式２に従って決定され得る：  
mod（ｆ（ｊ）＋ｇ（ｊ），Ｋ)             (式 ２)
ここで、ｆ（ｊ）∈｛０，．．．Ｋ−１｝はホッピングがないＣＳＩ−ＲＳインデックスであり、ここで、ｇ（ｊ）はホッピングパターンである。
【００９６】
[00108]たとえば、１（１）のＰＭＩレポートは、ホッピングパターンに従って異なる送信機会についてＣＳＩ−ＲＳリソース＃１と、＃３と、＃２と、＃４とに関連付けられ得るが、５（５）のＰＭＩレポートは、ホッピングパターンに従って異なる送信機会についてＣＳＩ−ＲＳリソース＃１と、＃４と、＃３と、＃２とにマッピングされ得る。リソースマッピングホッピングは、経時的に各ＣＳＩ−ＲＳリソース上のマルチユーザ干渉を平均する平衡したリソース割振りを実現し得る、各ＣＳＩ−ＲＳリソース上のマルチユーザ空間多重化をランダム化し得る。一態様では、ホッピングパターンは、段２の基準信号をＵＥのグループに送信するために使用され得る。たとえば、ホッピングパターンは、ＵＥのグループに送信され得、第１の送信時間間隔（ＴＴＩ）の間に、第２の基準信号が、割り振られたリソースの第１のセット（たとえば、ＣＳＩ−ＲＳリソース１０６０）を使用してＵＥグループに送信されるべきであることを示し得、第２のＴＴＩの間に、第２の基準信号が、リソースの第２のセット（たとえば、ＣＳＩ−ＲＳリソース１８０）を使用してＵＥグループに送信されるべきであることを示し得る。
【００９７】
[00109]図１３を参照すると、２段プリコーダを構成する方法の例示的な態様が示され、１３００と称される。１３０２において、方法１３００は、アンテナポートの第１のセットを使用して、基地局から第１の基準信号を送信することを含む。一態様では、基地局は図６の基地局６１０であり、第１の基準信号は図６の第１の基準信号６２２を含む。１３０４において、方法１３００は、基地局においてユーザ機器（ＵＥ）から第１のフィードバック情報を受信することを含む。第１のフィードバック情報は、第１の基準信号に関連付けられ得る。たとえば、一態様では、ＵＥは図６のＵＥ６３０であり得、第１のフィードバック情報は第１のフィードバック信号６２４として基地局において受信され得る。１３０６において、方法１３００は、第１のフィードバック情報に基づいて第１のプリコーダを構成することを含む。一態様では、図６に関して説明するように、第１のプリコーダは２段プリコーダ６１６の第１のプリコーダである。別の態様では、図７に関して説明するように、第１のプリコーダはポートプリコーダ７１４である。
【００９８】
[00110]１３０８において、方法１３００は、第１のプリコーダの構成に基づいて第２の基準信号をＵＥに送信することを含む。一態様では、第２の基準信号は、図１の第２の基準信号６２６を含む。１３１０において、方法１３００は、基地局においてＵＥから第２のフィードバック情報を受信することを含む。第２のフィードバック情報は、第２の基準信号に関連付けられ得る。たとえば、一態様では、第２のフィードバック情報は、第２のフィードバック信号６２４として基地局において受信され得る。１３１２において、方法１３００は、第２のフィードバック情報に基づいて第２のプリコーダを構成することを含む。一態様では、図６に関して説明するように、第２のプリコーダは２段プリコーダ６１６の第２のプリコーダである。別の態様では、図７に関して説明するように、第２のプリコーダはレイヤプリコーダ７１２である。
【００９９】
[00111]図１４を参照すると、ユーザ機器（ＵＥ）によって生成されたフィードバック情報に基づいてＵＥに割り振られるリソースのセットを決定する方法の例示的な態様が示されており、１４００と称される。１４０２において、方法１４００は、ユーザ機器（ＵＥ）において、基地局のアンテナ要素の第１のセットから第１の基準信号を受信することを含む。一態様では、基地局は図６の基地局６１０であり、ＵＥは図６のＵＥ６３０であり得る。一態様では、第１の基準信号は、図６の第１の基準信号６２２を含む。１４０２において、方法１４００は、第１の基準信号に関連付けられた第１のフィードバック情報を生成することを含む。１４０２において、方法１４００は、第１のフィードバック情報を基地局に送信することを含む。一態様では、第１のフィードバック情報は、第１のフィードバック信号６２４として基地局に送信され得る。１４０２において、方法１４００は、ＵＥにおいて、第１のフィードバック情報に基づいてＵＥに割り振られるリソースのセットを決定することを含む。一態様では、図６に関して説明するように、リソースのセットは、ホッピングパターンに基づいておよび第１のフィードバックに基づいて決定され得る。１４０２において、方法１４００は、ＵＥにおいて第２の基準信号を受信することを含む。第２の基準信号は、リソースの割り振られたセットを使用して、基地局からＵＥに送信される。一態様では、第２の基準信号は、図６の第２の基準信号６２６を含む。１４０２において、方法１４００は、第２の基準信号に関連付けられた第２のフィードバック情報を生成することを含み、１４０２において、方法１４００は、第２のフィードバック情報を基地局に送信することを含む。一態様では、第２のフィードバック情報は、第２のフィードバック信号６２８として基地局に送信され得る。
【０１００】
[00112]図１５を参照すると、ユーザ機器から受信されたフィードバックに基づいて決定されたオフセット値を使用してスクランブリングシーケンスを初期化する方法の例示的な態様が示されており、１５００と称される。１５０２において、方法１５００は、基地局の複数のアンテナを使用して第１の基準信号をＵＥに送信することを含む。複数のアンテナのうちの各アンテナは、１つまたは複数のアンテナ要素に関連付けられ、各アンテナ要素は、１つまたは複数のアンテナポートに関連付けられる。一態様では、基地局は図６の基地局６１０であり、第１の基準信号は図６の第１の基準信号６２２を含む。一態様では、ＵＥは図６のＵＥ６３０であり得る。
【０１０１】
[00113]１５０４において、方法１５００は、ＵＥから第１のフィードバック情報を受信することを含む。第１のフィードバック情報は、第１の基準信号に関連付けられる。たとえば、一態様では、第１のフィードバック情報は、第１のフィードバック信号６２４として基地局において受信され得る。１５０６において、方法１５００は、第１のフィードバック情報に基づいてオフセット値を決定することを含む。一態様では、図６に関して説明するように、オフセット値は、第１のフィードバック情報中に含まれるプリコーディング行列インジケータ（ＰＭＩ）に基づいて決定され得る。１５０８において、方法１５００は、オフセット値に基づいてスクランブリングシーケンスを初期化することを含む。一態様では、図６に関して説明するように、スクランブリングシーケンスは、式１を使用して初期化され得る。１５１０において、方法１５００は、第２の基準信号をＵＥに送信することを含む。第２の基準信号は、初期化されたスクランブリングシーケンスに基づいて符号化される。一態様では、第２の基準信号は、図６の第２の基準信号６２６を含む。
【０１０２】
[00114]様々な異なる技術および技法のいずれかを使用して情報および信号が表され得ることを当業者なら理解されよう。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１０３】
[00115]本明細書の開示に関して説明した様々な例示的な論理ブロック、モジュール、回路、およびアルゴリズムステップが、電子ハードウェア、コンピュータソフトウェア、または両方の組合せとして実装され得ることを当業者ならさらに諒解されよう。ハードウェアとソフトウェアのこの互換性を明確に示すために、様々な例示的な構成要素、ブロック、モジュール、回路、およびステップについて、概してそれらの機能に関して上記で説明した。そのような機能がハードウェアとして実装されるか、またはソフトウェアとして実装されるかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈すべきではない。当業者はまた、本明細書で説明した構成要素、方法、または相互作用の順序あるいは組合せは例にすぎないことと、本開示の様々な態様の構成要素、方法、または相互作用は、本明細書で例示し、説明したもの以外の方法で組み合わせられるかまたは実行され得ることとを容易に認識されよう。
【０１０４】
[00116]本明細書で本開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは図１〜図１５に関して本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【０１０５】
[00117]本明細書の開示に関して説明した方法またはアルゴリズムのステップは、直接ハードウェアで、プロセッサによって実行されるソフトウェアモジュールで、またはその２つの組合せで具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体内に存在し得る。例示的な記憶媒体は、プロセッサが記憶媒体から情報を読み取り、記憶媒体に情報を書き込むことができるようにプロセッサに結合される。代替として、記憶媒体は、プロセッサと一体化され得る。プロセッサおよび記憶媒体はＡＳＩＣ内に存在し得る。ＡＳＩＣはユーザ端末内に存在し得る。代替として、プロセッサおよび記憶媒体は、ユーザ端末内に個別構成要素として存在し得る。
【０１０６】
[00118]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶されるか、またはコンピュータ可読媒体を介して送信され得る。コンピュータ可読媒体は、コンピュータ記憶媒体と、ある場所から別の場所へのコンピュータプログラムの転送を容易にする任意の媒体を含む通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、または他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）と、レーザーディスク（登録商標）（disc）と、光ディスク（disc）と、デジタル多用途ディスク（disc）（ＤＶＤ）と、フロッピー（登録商標）ディスク（disk）と、ｂｌｕ−ｒａｙ（登録商標）ディスク（disc）とを含み、ディスク（disk）は、通常、データを磁気的に再生し、ディスク（disc）は、データをレーザーで光学的に再生する。上記の組合せもコンピュータ可読媒体の範囲内に含まれるべきである。
【０１０７】
[00119]特許請求の範囲を含めて、本明細書で使用する場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用する場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１０８】
[00120]図１〜図１５に関して説明する本開示の様々な態様とともに、装置が開示され、装置は、アンテナポートの第１のセットを使用して基地局から第１の基準信号を送信するための手段を含む。本開示の一態様では、第１の基準信号を送信するための手段は、図５のコントローラ／プロセッサ５４０、図５の送信プロセッサ５２０、図５の送信ＭＩＭＯプロセッサ５３０、図５の変調器／復調器５３２ａ〜５３２ｔ、アンテナ５３４ａ〜５３４ｔ、図６のプロセッサ６１２、図６の２段プリコーダ６１６、図６のトランシーバ６１８、図７のポートプリコーダ７１４、図７の論理ブロック７２０、７３０、７４０、７５０、またはそれらの組合せであり得る。装置は、ユーザ機器（ＵＥ）から第１のフィードバック情報を受信するための手段を含み得る。第１のフィードバック情報は、第１の基準信号に関連付けられ得、第１の基準信号に関連付けられたプリコーディング行列インジケータ（ＰＭＩ）、第１の基準信号に関連付けられたランク指示（ＲＩ）、または両方を含み得る。たとえば、第１のフィードバック情報は、図６の第１のフィードバック信号６２４中に含まれる第１のフィードバック情報に対応し得る。一態様では、第１のフィードバック情報を受信するための手段は、図５のコントローラ／プロセッサ５４０、図５の受信プロセッサ５３８、図５のＭＩＭＯ検出器５３６、図５の変調器／復調器５３２ａ〜５３２ｔ、アンテナ５３４ａ〜５３４ｔ、図６のプロセッサ６１２、図６の２段プリコーダ６１６、図６のトランシーバ６１８、またはそれらの組合せであり得る。装置は、第１のフィードバック情報に基づいて第１のプリコーダを構成するための手段を含み得る。一態様では、第１のプリコーダを構成するための手段は、図５のコントローラ／プロセッサ５４０、送信プロセッサ５２０、図５の送信ＭＩＭＯプロセッサ５３０、図６のプロセッサ６１２、図６の２段プリコーダ６１６、図７のポートプリコーダ７１４、図７の論理ブロック７１８、またはそれらの組合せを含み得る。
【０１０９】
[00121]装置は、第１のプリコーダの構成に基づいて第２の基準信号をＵＥに送信するための手段を含み得る。一態様では、第２の基準信号を送信するための手段は、図５のコントローラ／プロセッサ５４０、図５の送信プロセッサ５２０、図５の送信ＭＩＭＯプロセッサ５３０、図５の変調器／復調器５３２ａ〜５３２ｔ、アンテナ５３４ａ〜５３４ｔ、図６のプロセッサ６１２、図６の２段プリコーダ６１６、図６のトランシーバ６１８、図７のレイヤプリコーダ７１４、図７の論理ブロック７２０、７３０、７４０、７５０、またはそれらの組合せであり得る。装置は、ＵＥから第２のフィードバック情報を受信するための手段を含み得る。第２のフィードバック情報は、第２の基準信号に関連付けられ得、第２の基準信号に関連付けられた第２のＰＭＩ、第２の基準信号に関連付けられた第２のＲＩ、または両方を含み得る。たとえば、第２のフィードバック情報は、図６の第２のフィードバック信号６２８中に含まれる第２のフィードバック情報に対応し得る。一態様では、第２のフィードバック情報を受信するための手段は、図５のコントローラ／プロセッサ５４０、図５の受信プロセッサ５３８、図５のＭＩＭＯ検出器５３６、図５の変調器／復調器５３２ａ〜５３２ｔ、アンテナ５３４ａ〜５３４ｔ、図６のプロセッサ６１２、図６の２段プリコーダ６１６、図６のトランシーバ６１８、またはそれらの組合せであり得る。装置は、第２のフィードバック情報に基づいて第２のプリコーダを構成するための手段を含み得る。一態様では、第２のプリコーダを構成するための手段は、図５のコントローラ／プロセッサ５４０、送信プロセッサ５２０、図５の送信ＭＩＭＯプロセッサ５３０、図６のプロセッサ６１２、図６の２段プリコーダ６１６、図７のレイヤプリコーダ７１２、図７の論理ブロック７１６、またはそれらの組合せを含み得る。
【０１１０】
[00122]装置は、符号化データストリームを生成するために、第１のプリコーダと第２のプリコーダとを使用してデータストリームを処理するための手段を含み得る。第２のプリコーダは、データストリームを複数のアンテナポートのうちのアンテナポートのセットにマッピングし得、第１のプリコーダは、アンテナポートのセットを複数のアンテナ要素のうちのアンテナ要素のセットにマッピングし得る。一態様では、データストリームを処理するための手段は、図５のコントローラ／プロセッサ５４０、図５の送信プロセッサ５２０、図５の送信ＭＩＭＯプロセッサ５３０、図５の変調器／復調器５３２ａ〜５３２ｔ、アンテナ５３４ａ〜５３４ｔ、図６のプロセッサ６１２、図６の２段プリコーダ６１６、図７の２段プリコーダ７１０、レイヤプリコーダ７１２、ポートプリコーダ７１４、図７の論理ブロック７１６、７１８、７３０、７４０、７５０、またはそれらの組合せであり得る。装置は、符号化データストリームをＵＥに送信するための手段を含み得る。一態様では、符号化データストリームを送信するための手段は、図５のコントローラ／プロセッサ５４０、図５の送信プロセッサ５２０、図５の送信ＭＩＭＯプロセッサ５３０、図５の変調器／復調器５３２ａ〜５３２ｔ、アンテナ５３４ａ〜５３４ｔ、図６のプロセッサ６１２、図６の２段プリコーダ６１６、図６のトランシーバ６１８、図７の２段プリコーダ７１０、図７の論理ブロック７２０、７３０、７４０、７５０、またはそれらの組合せであり得る。
【０１１１】
[00123]装置は、第１のフィードバック情報に基づいてＵＥを分類するための手段を含み得る。一態様では、ＵＥを分類するための手段は、分類に基づいてＵＥを特定のＵＥグループに関連付けるための手段を含み得る。一態様では、ＵＥを分類するための手段、およびＵＥを特定のＵＥグループに関連付けるための手段は、図５のコントローラ／プロセッサ５４０または図６のプロセッサ６１２であり得る。装置は、ＵＥの分類に基づいてリソースをＵＥおよび／またはＵＥグループに割り振るための手段と、制御情報を基地局からＵＥに送信するための手段とを含み得る。制御情報は、分類に基づいてＵＥに割り振られるリソースを識別し得る。一態様では、ＵＥに割り振られるリソースは、基地局の複数のリソースのうちのリソースの第１のセットに対応し得る。一態様では、リソースをＵＥに割り振るための手段は、図５のコントローラ／プロセッサ５４０、図５の送信プロセッサ５２０、図５の送信ＭＩＭＯプロセッサ５３０、図６のプロセッサ６１２、またはそれらの組合せであり得る。一態様では、制御情報を送信するための手段は、図５のコントローラ／プロセッサ５４０、図５の送信プロセッサ５２０、図５の送信ＭＩＭＯプロセッサ５３０、図５の変調器／復調器５３２ａ〜５３２ｔ、アンテナ５３４ａ〜５３４ｔ、図６のプロセッサ６１２、図６の２段プリコーダ６１６、図６のトランシーバ６１８、図７のポートプリコーダ７１４、図７の論理ブロック７２０、７３０、７４０、７５０、またはそれらの組合せであり得る。装置は、複数のリソースのうちのリソースの別のセットから第２の基準信号を周期的に送信するための手段を含み得る。一態様では、リソースの別のセットは、ホッピングパターンに基づいて決定され得、リソースの第１のセットは、リソースの別のセットとは異なり得る。
【０１１２】
[00124]装置は、ホッピングパターンを示す情報をＵＥに送信するための手段を含み得る。ＵＥは、その情報に基づいて、特定の送信時間間隔（ＴＴＩ）の間、第２の基準信号についてリソースの追加のセットを監視し得る。一態様では、基地局およびＵＥは、第１のフィードバック情報に基づいて、ホッピングパターンにおけるリソースのセットの次のセットを独立して決定する。装置は、第１のフィードバック情報に基づいてオフセット値を決定するための手段を含み得る。一実施形態では、オフセット値を決定するための手段は、図５のコントローラ／プロセッサ５４０、図５の送信プロセッサ５２０、図５の送信ＭＩＭＯプロセッサ５３０、図６のプロセッサ６１２、図６の２段プリコーダ６１６、図７の２段プリコーダ７１０、またはそれらの組合せであり得る。
【０１１３】
[00125]装置は、オフセット値に少なくとも部分的に基づいてスクランブリングシーケンスを初期化するための手段を含み得る。一態様では、初期化するための手段は、図５のコントローラ／プロセッサ５４０、図５の送信プロセッサ５２０、図５の送信ＭＩＭＯプロセッサ５３０、図６のプロセッサ６１２、図６の２段プリコーダ６１６、図７の２段プリコーダ７１０、またはそれらの組合せであり得る。一態様では、図６に関して説明するように、初期化するための手段は、式１を使用してスクランブリングシーケンスを初期化し得る。装置は、初期化されたスクランブリングシーケンスに基づいて第２の基準信号を符号化するための手段を含み得る。一態様では、第２の基準信号を符号化するための手段は、図５のコントローラ／プロセッサ５４０、図５の送信プロセッサ５２０、図５の送信ＭＩＭＯプロセッサ５３０、図５の変調器／復調器５３２ａ〜５３２ｔ、アンテナ５３４ａ〜５３４ｔ、図６のプロセッサ６１２、図６の２段プリコーダ６１６、図６のトランシーバ６１８、図７の２段プリコーダ７１０、図７の論理ブロック７２０、７３０、７４０、７５０、またはそれらの組合せであり得る。装置は、第２のＴＴＩの間に第２の基準信号を送信するために使用されるリソースの別のセットに基づいてオフセット値を動的に修正するための手段を含み得る。一態様では、オフセット値を動的に修正するための手段は、図５のコントローラ／プロセッサ５４０、図５の送信プロセッサ５２０、図５の送信ＭＩＭＯプロセッサ５３０、図６のプロセッサ６１２、図６の２段プリコーダ６１６、図７の２段プリコーダ７１０、またはそれらの組合せであり得る。
【０１１４】
[00126]装置は、追加のＵＥから第１の追加のフィードバック情報を受信するための手段を含み得る。第１の追加のフィードバック情報は、第１の基準信号に関連付けられ得る。一態様では、第１の追加のフィードバック情報を受信するための手段は、図５のコントローラ／プロセッサ５４０、図５の受信プロセッサ５３８、図５のＭＩＭＯ検出器５３６、図５の変調器／復調器５３２ａ〜５３２ｔ、アンテナ５３４ａ〜５３４ｔ、図６のプロセッサ６１２、図６の２段プリコーダ６１６、図６のトランシーバ６１８、またはそれらの組合せであり得る。一態様では、第１のプリコーダを構成するための手段は、第１の追加のフィードバック情報に少なくとも部分的に基づいて第１のプリコーダをさらに構成し得る。装置は、基地局において追加のＵＥから第２の追加のフィードバック情報を受信するための手段を含み得る。第２の追加のフィードバック情報は、第２の基準信号に関連付けられる。一態様では、第２の追加のフィードバック情報を受信するための手段は、図５のコントローラ／プロセッサ５４０、図５の受信プロセッサ５３８、図５のＭＩＭＯ検出器５３６、図５の変調器／復調器５３２ａ〜５３２ｔ、アンテナ５３４ａ〜５３４ｔ、図６のプロセッサ６１２、図６の２段プリコーダ６１６、図６のトランシーバ６１８、またはそれらの組合せであり得る。一態様では、第２のプリコーダを構成するための手段は、第２の追加のフィードバック情報に少なくとも部分的に基づいて第２のプリコーダをさらに構成し得る。装置は、追加の符号化データストリームを生成するために、第１のプリコーダと第２のプリコーダとを使用して追加のデータストリームを処理するための手段と、追加の符号化データストリームを追加のＵＥに送信するための手段とを含み得る。一態様では、追加のデータストリームを処理するための手段は、図５のコントローラ／プロセッサ５４０、図５の送信プロセッサ５２０、図５の送信ＭＩＭＯプロセッサ５３０、図５の変調器／復調器５３２ａ〜５３２ｔ、アンテナ５３４ａ〜５３４ｔ、図６のプロセッサ６１２、図６の２段プリコーダ６１６、図７の２段プリコーダ７１０、レイヤプリコーダ７１２、ポートプリコーダ７１４、図７の論理ブロック７１６、７１８、７３０、７４０、７５０、またはそれらの組合せであり得、追加の符号化データストリームを送信するための手段は、図５のコントローラ／プロセッサ５４０、図５の送信プロセッサ５２０、図５の送信ＭＩＭＯプロセッサ５３０、図５の変調器／復調器５３２ａ〜５３２ｔ、アンテナ５３４ａ〜５３４ｔ、図６のプロセッサ６１２、図６の２段プリコーダ６１６、図６のトランシーバ６１８、図７の２段プリコーダ７１０、図７の論理ブロック７２０、７３０、７４０、７５０、またはそれらの組合せであり得る。
【０１１５】
[00127]本開示の別の態様では、装置は、基地局のアンテナ要素の第１のセットから第１の基準信号を受信するための手段を含み得る。一態様では、第１の基準信号を受信するための手段は、図５のコントローラ／プロセッサ５８０、図５の受信プロセッサ５５８、図５のＭＩＭＯ検出器５５６、図５の復調器／変調器５５４ａ〜５５４ｒ、図５のアンテナ５５２ａ〜５５２ｒ、図６のプロセッサ６３２、図６のトランシーバ６３８、またはそれらの組合せであり得る。装置は、第１の基準信号に関連付けられた第１のフィードバック情報を生成するための手段と、第１のフィードバック情報を基地局に送信するための手段とを含み得る。一態様では、第１のフィードバック情報を生成するための手段は、図５のコントローラ／プロセッサ５８０、図５の送信プロセッサ５６４、図５の送信ＭＩＭＯプロセッサ５６６、図６のプロセッサ６３２、またはそれらの組合せであり得、第１のフィードバック情報を送信するための手段は、図５のコントローラ／プロセッサ５８０、図５の送信プロセッサ５６４、図５の送信ＭＩＭＯプロセッサ５６６、図５の復調器／変調器５５４ａ〜５５４ｒ、図５のアンテナ５５２ａ〜５５２ｒ、図６のプロセッサ６３２、図６のトランシーバ６３８、またはそれらの組合せであり得る。
【０１１６】
[00128]装置は、第１のフィードバック情報に基づいてＵＥに割り振られるリソースのセットを決定するための手段を含み得る。一態様では、ＵＥに割り振られるリソースのセットを決定するための手段は、ホッピングパターンに従って第１のフィードバック情報に基づいてリソースのセットを決定し得る。一態様では、ＵＥに割り振られるリソースのセットを決定するための手段は、図５のコントローラ／プロセッサ５８０、図５の送信プロセッサ５６４、図５の送信ＭＩＭＯプロセッサ５６６、図６のプロセッサ６３２、またはそれらの組合せであり得る。装置は、第２の基準信号を受信するための手段を含み得る。第２の基準信号は、リソースの割り振られたセットを使用して、基地局からＵＥに送信され得る。一態様では、第２の基準信号を受信するための手段は、図５のコントローラ／プロセッサ５８０、図５の受信プロセッサ５５８、図５のＭＩＭＯ検出器５５６、図５の復調器／変調器５５４ａ〜５５４ｒ、図５のアンテナ５５２ａ〜５５２ｒ、図６のプロセッサ６３２、図６のトランシーバ６３８、またはそれらの組合せであり得る。装置は、第２の基準信号に関連付けられた第２のフィードバック情報を生成するための手段と、第２のフィードバック情報を基地局に与えるための手段とを含み得る。一態様では、第２のフィードバック情報を生成するための手段は、図５のコントローラ／プロセッサ５８０、図５の送信プロセッサ５６４、図５の送信ＭＩＭＯプロセッサ５６６、図６のプロセッサ６３２、またはそれらの組合せであり得、第２のフィードバック情報を与えるための手段は、図５のコントローラ／プロセッサ５８０、図５の送信プロセッサ５６４、図５の送信ＭＩＭＯプロセッサ５６６、図５の復調器／変調器５５４ａ〜５５４ｒ、図５のアンテナ５５２ａ〜５５２ｒ、図６のプロセッサ６３２、図６のトランシーバ６３８、またはそれらの組合せであり得る。
【０１１７】
[00129]装置は、基地局から制御情報を受信するための手段を含み得る。制御情報は、リソースの割り振られたセットを識別し得、基地局は、第１のフィードバック情報に基づいてリソースのセットをＵＥに割り振り得る。一態様では、第１のフィードバック情報に基づいてＵＥに割り振られるリソースのセットを決定するための手段は、制御情報に基づいてリソースのセットを決定し得る。制御情報は複数のフィールドを含み得、複数のフィールドのうちの各フィールドは特定のＵＥに対応し、リソースインデックスを識別する情報を含む。装置は、複数のフィールドのうちの特定のフィールドに対応する特定のリソースインデックスを監視するための手段を含み得る。特定のフィールドはＵＥに対応し、特定のリソースインデックスはＵＥに割り振られたリソースのセットを識別し得る。一態様では、特定のリソースインデックスを監視するための手段は、図５のコントローラ／プロセッサ５８０、図５の受信プロセッサ５５８、図５のＭＩＭＯ検出器５５６、図６のプロセッサ６３２、またはそれらの組合せであり得る。
【０１１８】
[00130]本開示についての以上の説明は、いかなる当業者でも本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規な特徴と一致する最も広い範囲が与えられるべきである。
【図１】
0006462677.tif 000004
【図２】
0006462677.tif 000005
【図３】
0006462677.tif 000006
【図４】
0006462677.tif 000007
【図５】
0006462677.tif 000008
【図６】
0006462677.tif 000009
【図７】
0006462677.tif 000010
【図８】
0006462677.tif 000011
【図９】
0006462677.tif 000012
【図１０】
0006462677.tif 000013
【図１１】
0006462677.tif 000014
【図１２】
0006462677.tif 000015
【図１３】
0006462677.tif 000016
【図１４】
0006462677.tif 000017
【図１５】
0006462677.tif 000018